(57)【要約】  本発明の実施例は通信モード切替方法、装置及びシステムを提供し、前記方法は前記eNBが所定ポリシーに基づいてモード切替方式を確定し；前記モード切替方式がPDCPパラメータ無し交換であれば、前記eNBがD2DリンクのUEに第一モード切替命令を送信し、また、全てのPDCP送信パラメータ及びPDCP受信パラメータを0にリセットし；前記モード切替方式が完全PDCPパラメータ交換又は部分PDCPパラメータ交換であれば、前記eNBがD2DリンクのUEにモード切替準備命令を送信し、これにより、前記UEがPDCP送信パラメータ、PDCP受信パラメータ、及びPDCP状態報告を報告し又は１番目の紛失したPDCP受信SN及びそれに対応するHFNを報告し、これにより、PDCPパラメータ構成及びモード切替を完成する。本発明の実施例の方法、装置及びシステムにより、異なる通信モード切替シナリオに異なる解決案を提供し、このようにして、モード切替時のサービス連続性問題を完全に解決できる。
2016516380.tif 000002
【特許請求の範囲】
【請求項１】
基地局（eNB）に用いられる通信モード切替方法であって、
前記eNBが所定ポリシーに基づいてモード切替方式を確定し；及び
前記モード切替方式がPDCP（packet  data  convergence  protocol）パラメータ無し交換であれば、前記eNBがD2DリンクのUEに第一モード切替命令を送信し、また、全てのPDCP送信パラメータ及びPDCP受信パラメータを0にリセットすることを含む、方法。
【請求項２】
D2D通信中におけるユーザ装置（UE）に用いられる通信モード切替方法であって、
前記UEがeNBにより送信された第一モード切替命令を受信した場合、前記UEが全てのPDCP送信パラメータ及びPDCP受信パラメータを0にリセットし、また、通信モード切替後のリンク上でデータを伝送することを含む、方法。
【請求項３】
eNBに用いられる通信モード切替方法であって、
前記eNBが所定ポリシーに基づいてモード切替方式を確定し；
前記モード切替方式が完全PDCPパラメータ交換であれば、前記eNBがD2DリンクのUEにモード切替準備命令を送信し；
前記UEにより報告されたPDCP送信パラメータ、PDCP受信パラメータ、及びPDCP状態報告を受信した場合、前記eNBが前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信し；及び
前記eNBが前記UEに第二モード切替命令を送信することを含む、方法。
【請求項４】
D2D通信中におけるUEに用いられる通信モード切替方法であって、
前記UEがeNBにより送信されたモード切替準備命令を受信した場合、前記UEが前記eNBにPDCP送信パラメータ、PDCP受信パラメータ、及びPDCP状態報告を報告し、これにより、前記eNBが前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信することを含む、方法。
【請求項５】
請求項4に記載の方法であって、
前記UEが前記D2D通信相手UEのPDCP状態報告を受信した場合、前記方法は、更に、
前記UEが前記D2D通信相手UEのPDCP状態報告に基づいて、通信モード切替後のリンク上で、まだ成功裏に受信されていないPDCPデータパケットを再送することを含む、方法。
【請求項６】
eNBに用いられる通信モード切替方法であって、
前記eNBが所定ポリシーに基づいてモード切替方式を確定し；
前記モード切替方式が部分PDCPパラメータ交換であれば、前記eNBがD2DリンクのUEにモード切替準備命令を送信し；
前記UEにより報告された１番目の紛失したPDCP受信シーケンス番号（SN）及びそれに対応するハイパーフレーム番号（HFN）を受信した場合、前記eNBが前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信し；及び
前記eNBが前記UEに第二モード切替命令を送信することを含む、方法。
【請求項７】
D2D通信中におけるUEに用いられる通信モード切替方法であって、
前記UEがeNBにより送信されたモード切替準備命令を受信した場合、前記UEが前記eNBに１番目の紛失したPDCP受信SN及びそれに対応するHFNを報告し、これにより、前記eNBが前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信することを含む、方法。
【請求項８】
請求項7に記載の方法であって、
前記UEが前記D2D通信相手UEの１番目の紛失したPDCP受信SN及びそれに対応するHFNを受信した場合、前記方法は、更に、
前記UEが前記相手UEの１番目の紛失したPDCP受信SNから、通信モード切替後のリンク上で、全ての既に送信したPDCPデータパケットを再送することを含む、方法。
【請求項９】
eNBに用いられる通信モード切替方法であって、
前記eNBが所定ポリシーに基づいてモード切替方式を確定し；
前記モード切替方式が完全PDCPパラメータ交換であれば、前記eNBがD2DリンクのUEにモード切替準備命令を送信し；及び
前記UEにより報告されたPDCP送信パラメータ、PDCP受信パラメータ、及びPDCP状態報告を受信した場合、前記eNBが前記PDCP送信パラメータ、PDCP受信パラメータ、及びPDCP状態報告を前記UEのD2D通信相手UEのサービングeNBに転送することを含む、方法。
【請求項１０】
請求項9に記載の方法であって、
前記eNBが前記相手UEのサービングeNBにより送信された前記相手UEのPDCP送信パラメータ、PDCP受信パラメータ、及びPDCP状態報告を受信した場合、前記方法は、更に、
前記eNBが前記相手UEのPDCP送信パラメータを、前記UEとの間の下りリンクの送信パラメータとし、前記相手UEのPDCP受信パラメータを、前記UEとの間の上りリンクの受信パラメータとし、また、前記相手UEのPDCP状態報告を前記UEに送信し；及び
前記eNBが前記UEに第二モード切替命令を送信することを含む、方法。
【請求項１１】
D2D通信中におけるUEに用いられる通信モード切替方法であって、
前記UEがeNBにより送信されたモード切替準備命令を受信した場合、前記UEが前記eNBにPDCP送信パラメータ、PDCP受信パラメータ、及びPDCP状態報告を報告し、これにより、前記eNBが前記PDCP送信パラメータ、PDCP受信パラメータ、及びPDCP状態報告を前記UEのD2D通信相手UEのサービングeNBに転送することを含む、方法。
【請求項１２】
請求項11に記載の方法であって、
前記UEが前記D2D通信相手UEのPDCP状態報告を受信した場合、前記方法は、更に、
前記UEが前記相手UEのPDCP状態報告に基づいて、通信モード切替後のリンク上で、まだ成功裏に受信されていないPDCPデータパケットを再送することを含む、方法。
【請求項１３】
eNBに用いられる通信モード切替方法であって、
前記eNBが所定ポリシーに基づいてモード切替方式を確定し；
前記モード切替方式が部分PDCPパラメータ交換であれば、前記eNBがD2DリンクのUEにモード切替準備命令を送信し；及び
前記UEにより報告された１番目の紛失したPDCP受信SN及びそれに対応するHFNを受信した場合、前記eNBが前記UEの１番目の紛失したPDCP受信SN及びそれに対応するHFNを前記UEのD2D通信相手UEのサービングeNBに転送することを含む、方法。
【請求項１４】
請求項13に記載の方法であって、
前記eNBが前記相手UEのサービングeNBにより送信された前記相手UEの１番目の紛失したPDCP受信SN及びそれに対応するHFNを受信した場合、前記方法は、更に、
前記eNBが前記相手UEの１番目の紛失したPDCP受信SN及びそれに対応するHFNに基づいて、前記UEのD2D通信相手UEとの間のリンクのPDCP送信パラメータ及びPDCP受信パラメータをリセットし、また、前記相手UEの１番目の紛失したPDCP受信SN及びそれに対応するHFNを前記UEに送信し；及び
前記eNBが前記UEに第二モード切替命令を送信することを含む、方法。
【請求項１５】
D2D通信中におけるUEに用いられる通信モード切替方法であって、
前記UEがeNBにより送信されたモード切替準備命令を受信した場合、前記UEが前記eNBに１番目の紛失したPDCP受信SN及びそれに対応するHFNを報告し、これにより、前記eNBが前記１番目の紛失したPDCP受信SN及びそれに対応するHFNを前記UEのD2D通信相手UEのサービングeNBに転送することを含む、方法。
【請求項１６】
請求項15に記載の方法であって、
前記UEが前記D2D通信相手UEの１番目の紛失したPDCP受信SN及びそれに対応するHFNを受信した場合、前記方法は、更に、
前記UEが前記相手UEの１番目の紛失したPDCP受信SNから、通信モード切替後のリンク上で、全ての既に送信したPDCPデータパケットを再送することを含む、方法。
【請求項１７】
eNBに用いられる通信モード切替方法であって、
前記eNBが所定ポリシーに基づいてモード切替方式を確定し；
前記モード切替方式が完全PDCPパラメータ交換又は部分PDCPパラメータ交換であれば、前記eNBがD2DリンクのUEにモード切替準備命令を送信し、これにより、UEがそのセルラーリンクを保持し；
前記eNBが通信モード切替前のリンク上で、前記D2Dリンクに関連するコアネットワークデータパケットの伝送が全て完了するまでに前記UEにデータを伝送し、又は、前記D2Dリンクに関連するコアネットワークデータパケット及び他のeNBにより転送されたデータパケットの伝送が全て完了するまでに前記UEにデータを伝送し；
前記eNBが前記UEに第二モード切替命令を送信し、これにより、前記UEがその相手UEに次の１つのPDCP受信SN及びそれに対応するHFNを送信し；及び
前記eNBが前記UEにPDCP状態報告又は１番目の紛失したPDCP受信SN及びそれに対応するHFNを送信し、これにより、前記UEがこれに基づいてPDCPデータパケットを再送することを含む、方法。
【請求項１８】
請求項17に記載の方法であって、
前記モード切替方式が完全PDCPパラメータ交換であれば、前記方法は、更に、
前記eNBが、成功裏に受信したPDCPデータパケットを前記UEのD2D通信相手UEのサービングeNBに転送することを含む、方法。
【請求項１９】
UEに用いられる通信モード切替方法であって、
前記UEがeNBにより送信されたモード切替準備命令を受信した場合、前記UEが前記eNBにより伝送されたデータを受信するために、そのセルラーリンクを保持し；及び
前記UEが第二モード切替命令を受信した場合、前記UEがその相手UEに次の１つのPDCP受信SN及びそれに対応するHFNを送信することを含む、方法。
【請求項２０】
請求項19に記載の方法であって、
前記UEが前記相手UEにより送信された次の１つのPDCP受信SN及びそれに対応するHFNを受信した場合、前記方法は、更に、
前記UEがPDCP送信パラメータを、受信した前記次の１つのPDCP受信SN及びそれに対応するHFNとして構成することを含む、方法。
【請求項２１】
請求項20に記載の方法であって、
前記UEがサービングeNBからのPDCP状態報告を受信した場合、前記方法は、更に、
前記UEがサービングeNBからのPDCP状態報告に基づいて、通信モード切替後のリンク上で、まだ成功裏に受信されていないPDCPデータパケットを再送することを含む、方法。
【請求項２２】
請求項20に記載の方法であって、
前記UEがサービングeNBからの１番目の紛失したPDCP受信SN及びそれに対応するHFNを受信した場合、前記方法は、更に、
前記UEが前記１番目の紛失したPDCP受信SNから、通信モード切替後のリンク上で、全ての既に送信したPDCPデータパケットを再送することを含む、方法。
【請求項２３】
eNBであって、
所定ポリシーに基づいてモード切替方式を確定するための確定ユニット；及び
前記確定ユニットにより、モード切替方式がPDCPパラメータ無し交換であると確定された時に、D2DリンクのUEに第一モード切替命令を送信し、また、全てのPDCP送信パラメータ及びPDCP受信パラメータを0にリセットするための処理ユニットを含む、eNB。
【請求項２４】
UEであって、
前記UEがeNBにより送信された第一モード切替命令を受信した時に、全てのPDCP送信パラメータ及びPDCP受信パラメータを0にリセットし、また、通信モード切替後のリンク上でデータを伝送するための処理ユニットを含む、UE。
【請求項２５】
eNBであって、
所定ポリシーに基づいてモード切替方式を確定するための確定ユニット；
前記確定ユニットにより確定されたモード切替方式が完全PDCPパラメータ交換である場合、D2DリンクのUEにモード切替準備命令を送信するための第一送信ユニット；
前記eNBが前記UEにより報告されたPDCP送信パラメータ、PDCP受信パラメータ、及びPDCP状態報告を受信した場合、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信するための処理ユニット；及び
前記UEに第二モード切替命令を送信するための第二送信ユニットを含む、eNB。
【請求項２６】
UEであって、
前記UEがeNBにより送信されたモード切替準備命令を受信した場合、前記eNBにPDCP送信パラメータ、PDCP受信パラメータ、及びPDCP状態報告を報告し、これにより、前記eNBが前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信するための第一送信ユニットを含む、UE。
【請求項２７】
請求項26に記載のUEであって、更に、
前記UEが前記D2D通信相手UEのPDCP状態報告を受信した時に、前記D2D通信相手UEのPDCP状態報告に基づいて、通信モード切替後のリンク上で、まだ成功裏に受信されていないPDCPデータパケットを再送するための第二送信ユニットを含む、UE。
【請求項２８】
eNBであって、
所定ポリシーに基づいてモード切替方式を確定するための確定ユニット；
前記確定ユニットが確定したモード切替方式が部分PDCPパラメータ交換である時に、D2DリンクのUEにモード切替準備命令を送信するための第一送信ユニット；
前記eNBが前記UEにより報告された１番目の紛失したPDCP受信SN及びそれに対応するHFNを受信した時に、前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信するための処理ユニット；及び
前記UEに第二モード切替命令を送信するための第二送信ユニットを含む、eNB。
【請求項２９】
UEであって、
前記UEがeNBにより送信されたモード切替準備命令を受信した時に、前記eNBに１番目の紛失したPDCP受信SN及びそれに対応するHFNを報告し、これにより、前記eNBが前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信するための第一送信ユニットを含む、UE。
【請求項３０】
請求項29に記載のUEであって、更に、
前記UEが前記D2D通信相手UEの１番目の紛失したPDCP受信SN及びそれに対応するHFNを受信した時に、前記相手UEの１番目の紛失したPDCP受信SNから、通信モード切替後のリンク上で、全ての既に送信したPDCPデータパケットを再送するための第二送信ユニットを含む、UE。
【請求項３１】
eNBであって、
所定ポリシーに基づいてモード切替方式を確定するための確定ユニット；
前記確定ユニットが確定したモード切替方式が完全PDCPパラメータ交換である時に、D2DリンクのUEにモード切替準備命令を送信するための第一送信ユニット；及び
前記eNBが前記UEにより報告されたPDCP送信パラメータ、PDCP受信パラメータ、及びPDCP状態報告を受信した時に、前記PDCP送信パラメータ、PDCP受信パラメータ、及びPDCP状態報告を前記UEのD2D通信相手UEのサービングeNBに転送するための第一処理ユニットを含む、eNB。
【請求項３２】
請求項31に記載のeNBであって、更に、
前記eNBが前記相手UEのサービングeNBにより送信された前記相手UEのPDCP送信パラメータ、PDCP受信パラメータ、及びPDCP状態報告を受信した時に、前記相手UEのPDCP送信パラメータを、前記UEとの間の下りリンクの送信パラメータとし、前記相手UEのPDCP受信パラメータを、前記UEとの間の上りリンクの受信パラメータとし、また、前記相手UEのPDCP状態報告を前記UEに送信するための第二処理ユニット；及び
前記UEに第二モード切替命令を送信するための第二送信ユニットを含む、eNB。
【請求項３３】
UEであって、
前記UEがeNBにより送信されたモード切替準備命令を受信した時に、前記eNBにPDCP送信パラメータ、PDCP受信パラメータ、及びPDCP状態報告を報告し、これにより、前記eNBが前記PDCP送信パラメータ、PDCP受信パラメータ、及びPDCP状態報告を前記UEのD2D通信相手UEのサービングeNBに転送するための第一送信ユニットを含む、UE。
【請求項３４】
請求項33に記載のUEであって、更に、
前記UEが前記D2D通信相手UEのPDCP状態報告を受信した時に、前記相手UEのPDCP状態報告に基づいて、通信モード切替後のリンク上で、まだ成功裏に受信されていないPDCPデータパケットを再送するための第二送信ユニットを含む、UE。
【請求項３５】
eNBであって、
所定ポリシーに基づいてモード切替方式を確定するための確定ユニット；
前記確定ユニットが確定したモード切替方式が部分PDCPパラメータ交換である時に、D2DリンクのUEにモード切替準備命令を送信するための第一送信ユニット；及び
前記eNBが前記UEにより報告された１番目の紛失したPDCP受信SN及びそれに対応するHFNを受信した時に、前記UEの１番目の紛失したPDCP受信SN及びそれに対応するHFNを前記UEのD2D通信相手UEのサービングeNBに転送するための第一処理ユニットを含む、eNB。
【請求項３６】
請求項35に記載のeNBであって、更に、
前記eNBが前記相手UEのサービングeNBにより送信された前記相手UEの１番目の紛失したPDCP受信SN及びそれに対応するHFNを受信した時に、前記相手UEの１番目の紛失したPDCP受信SN及びそれに対応するHFNに基づいて、前記UEとの間のリンクのPDCP送信パラメータ及びPDCP受信パラメータをリセットし、また、前記相手UEの１番目の紛失したPDCP受信SN及びそれに対応するHFNを前記UEに送信するための第二処理ユニット；及び
前記UEに第二モード切替命令を送信するための第二送信ユニットを含む、eNB。
【請求項３７】
UEであって、
前記UEがeNBにより送信されたモード切替準備命令を受信した時に、前記eNBに１番目の紛失したPDCP受信SN及びそれに対応するHFNを報告し、これにより、前記eNBが前記１番目の紛失したPDCP受信SN及びそれに対応するHFNを前記UEのD2D通信相手UEのサービングeNBに転送するための第一送信ユニットを含む、UE。
【請求項３８】
請求項37に記載のUEであって、更に、
前記UEが前記D2D通信相手UEの１番目の紛失したPDCP受信SN及びそれに対応するHFNを受信した時に、前記相手UEの１番目の紛失したPDCP受信SNから、通信モード切替後のリンク上で、全ての既に送信したPDCPデータパケットを再送するための第二送信ユニットを含む、UE。
【請求項３９】
eNBであって、
所定ポリシーに基づいてモード切替方式を確定するための確定ユニット；
前記確定ユニットが確定したモード切替方式が完全PDCPパラメータ交換又は部分PDCPパラメータ交換である時に、D2DリンクのUEにモード切替準備命令を送信し、これにより、UEがそのセルラーリンクを保持するための第一送信ユニット；
通信モード切替前のリンク上で、前記D2Dリンクに関連するコアネットワークデータパケットの伝送が全て完了するまでに前記UEにデータを伝送し、又は、前記D2Dリンクに関連するコアネットワークデータパケット及び他のeNBにより転送されたデータパケットの伝送が全て完了するまでに前記UEにデータを伝送するための第一データ伝送ユニット；
前記UEに第二モード切替命令を送信し、これにより、前記UEがその相手UEに次の１つのPDCP受信SN及びそれに対応するHFNを送信するための第二送信ユニット；及び
前記UEにPDCP状態報告又は１番目の紛失したPDCP受信SN及びそれに対応するHFNを送信し、これにより、前記UEがこれに基づいてPDCPデータパケットを再送するための第三送信ユニットを含む、eNB。
【請求項４０】
請求項39に記載のeNBであって、更に、
前記モード切替方式が完全PDCPパラメータ交換である時に、成功裏に受信したPDCPデータパケットを前記UEのD2D通信相手UEのサービングeNBに転送するための第二データ伝送ユニットを含む、eNB。
【請求項４１】
UEであって、
前記UEがeNBにより送信されたモード切替準備命令を受信した時に、前記eNBにより伝送されたデータを受信するために、セルラーリンクを保持するための受信ユニット；及び
前記UEが第二モード切替命令を受信した時に、前記UEのD2D通信相手UEに次の１つのPDCP受信SN及びそれに対応するHFNを送信するための送信ユニットを含む、UE。
【請求項４２】
請求項41に記載のUEであって、更に、
前記UEが前記相手UEにより送信された次の１つのPDCP受信SN及びそれに対応するHFNを受信した時に、PDCP送信パラメータを、受信した前記次の１つのPDCP受信SN及びそれに対応するHFNとして構成するための処理ユニットを含む、UE。
【請求項４３】
請求項42に記載のUEであって、更に、
前記UEがサービングeNBからのPDCP状態報告を受信した時に、サービングeNBからのPDCP状態報告に基づいて、通信モード切替後のリンク上で、まだ成功裏に受信されていないPDCPデータパケットを再送するための第二送信ユニットを含む、UE。
【請求項４４】
請求項42に記載のUEであって、更に、
前記UEがサービングeNBからの１番目の紛失したPDCP受信SN及びそれに対応するHFNを受信した時に、前記１番目の紛失したPDCP受信SNから、通信モード切替後のリンク上で、全ての既に送信したPDCPデータパケットを再送するための第三送信ユニットを含む、UE。
【請求項４５】
通信システムであって、
前記通信システムは、請求項23に記載のeNB及び少なくとも２つの請求項24に記載のUEを含み；又は、前記通信システムは、請求項25に記載のeNB及び少なくとも２つの請求項26〜27のうちの任意の１項に記載のUEを含み；又は、前記通信システムは、請求項28に記載のeNB及び少なくとも２つの請求項29〜30のうちの任意の１項に記載のUEを含み；又は、前記通信システムは、請求項31〜32のうちの任意の１項に記載のeNB及び少なくとも２つの請求項33〜34のうちの任意の１項に記載のUEを含み；又は、前記通信システムは、請求項35〜36のうちの任意の１項に記載のeNB及び少なくとも２つの請求項37〜38のうちの任意の１項に記載のUEを含み；又は、前記通信システムは、請求項39〜40のうちの任意の１項に記載のeNB及び少なくとも２つの請求項41〜44のうちの任意の１項に記載のUEを含む、通信システム。
【請求項４６】
コンピュータ可読プログラムであって、
端末装置中で該プログラムを実行する時に、該プログラムは、コンピュータに、前記端末装置中で請求項2、4〜5、7〜8、11〜12、15〜16、19〜22のうちの任意の１項に記載の通信モード切替方法を実行させる、プログラム。
【請求項４７】
コンピュータ可読プログラムを記録した記録媒体であって、
該コンピュータ可読プログラムは、コンピュータに、端末装置中で請求項2、4〜5、7〜8、11〜12、15〜16、19〜22のうちの任意の１項に記載の通信モード切替方法を実行させる、記録媒体。
【請求項４８】
コンピュータ可読プログラムであって、
基地局中で該プログラムを実行する時に、該プログラムは、コンピュータに、前記基地局中で請求項1、3、6、9〜10、13〜14、17〜18のうちの任意の１項に記載の通信モード切替方法を実行させる、プログラム。
【請求項４９】
コンピュータ可読プログラムを記録した記録媒体であって、
該コンピュータ可読プログラムは、コンピュータに、基地局中で請求項1、3、6、9〜10、13〜14、17〜18のうちの任意の１項に記載の通信モード切替方法を実行させる、記録媒体。
【発明の詳細な説明】
【技術分野】
【０００１】
本発明は、通信分野に関し、特に、通信モード切替方法、装置及びシステムに関する。
【背景技術】
【０００２】
D2D（Device  to  Device、装置対装置）通信とは、UE（User  Equipment、ユーザ装置）間の直接通信を指し、元のセルラー移動通信を基に導入された新しい通信モードである。
【０００３】
無線チャネルの動的な変化特性が原因で、UEは、しばしば、異なる通信モード（D2Dモード又はセルラーモード）間で切替を行う必要がある。例えば、D2D通信中のUEについて、UE間のD2Dリンク品質が一定程度まで悪くなると、UEは、サービス伝送の連続性を保証するために、セルラーモードに切り替える必要がある。
【０００４】
今のところ、１つの通信モード切替案としては、モード切替時に、UEがeNBにPDCP (Packet  Data  Convergence  Protocol)に関するパラメータを送信することで、UEサービスの連続伝送を実現することがある。しかし、該案は次のような２つの問題を有する。
【０００５】
1、UEが一部のPDCPパラメータのみフィードバックし、例えば、PDCPデータパケットのHFN(Hyper  Frame  Number)を含めないため、サービス連続性問題を完全に解決できない。
【０００６】
2、該案では、例えば、同一eNB制御下でのモード切替といった一部のシナリオのみについての研究が行われているが、異なるeNB制御下でのシナリオについての研究が未だ行われていない。
【０００７】
なお、上述の背景技術についての紹介は、本発明の技術案を明確且つ完全に説明し、当業者がそれを容易に理解し得るためだけのものである。これらの技術案は、本発明の背景技術の部分に説明されているから当業者にとって周知であると解釈されるべきではない。
【発明の概要】
【発明が解決しようとする課題】
【０００８】
本発明の実施例の目的は、UEが通信モード切替を行う時に如何にサービス連続性を保証するかという問題を解決するための通信モード切替方法、装置及びシステムを提供することにある。
【課題を解決するための手段】
【０００９】
本発明の実施例の第一側面によれば、通信モード切替方法が提供され、前記方法はeNBに用いられ、そのうち、前記方法は、
前記eNBが所定ポリシーに基づいてモード切替方式を確定し；及び
前記モード切替方式がPDCPパラメータ無し交換であれば、前記eNBがD2DリンクのUEに第一モード切替命令を送信し、また、全てのPDCP送信パラメータ及びPDCP受信パラメータを0にリセットすることを含む。
【００１０】
本発明の実施例の第二側面によれば、通信モード切替方法が提供され、前記方法はD2D通信中におけるUEに用いられ、そのうち、前記方法は、
前記UEがeNBにより送信された第一モード切替命令を受信した場合、前記UEが全てのPDCP送信パラメータ及びPDCP受信パラメータを0にリセットし、また、通信モード切替後のリンク上でデータを伝送することを含む。
【００１１】
本発明の実施例の第三側面によれば、通信モード切替方法が提供され、前記方法はeNBに用いられ、そのうち、前記方法は、
前記eNBが所定ポリシーに基づいてモード切替方式を確定し；
前記モード切替方式が完全PDCPパラメータ交換であれば、前記eNBがD2DリンクのUEにモード切替準備命令を送信し；
前記UEにより報告されたPDCP送信パラメータ、PDCP受信パラメータ、及びPDCP状態報告を受信した場合、前記eNBが、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信し；及び
前記eNBが前記UEに第二モード切替命令を送信することを含む。
【００１２】
本発明の実施例の第四側面によれば、通信モード切替方法が提供され、前記方法はD2D通信中におけるUEに用いられ、そのうち、前記方法は、
前記UEがeNBにより送信されたモード切替準備命令を受信した場合、前記UEが前記eNBにPDCP送信パラメータ、PDCP受信パラメータ、及びPDCP状態報告を報告し、これにより、前記eNBが、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信することを含む。
【００１３】
本発明の実施例の第五側面によれば、通信モード切替方法が提供され、前記方法はeNBに用いられ、そのうち、前記方法は、
前記eNBが所定ポリシーに基づいてモード切替方式を確定し；
前記モード切替方式が部分PDCPパラメータ交換であれば、前記eNBがD2DリンクのUEにモード切替準備命令を送信し；
前記UEにより報告された１番目の紛失したPDCP受信SN及びそれに対応するHFNを受信した場合、前記eNBが、前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信し；及び
前記eNBが前記UEに第二モード切替命令を送信することを含む。
【００１４】
本発明の実施例の第六側面によれば、通信モード切替方法が提供され、前記方法はD2D通信中におけるUEに用いられ、そのうち、前記方法は、
前記UEがeNBにより送信されたモード切替準備命令を受信した場合、前記UEが前記eNBに１番目の紛失したPDCP受信SN及びそれに対応するHFNを報告し、これにより、前記eNBが、前記１番目の紛失したPDCP受信SN及びそれに対応するHFNに基づいて、前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信することを含む。
【００１５】
本発明の実施例の第七側面によれば、通信モード切替方法が提供され、前記方法はeNBに用いられ、そのうち、前記方法は、
前記eNBが所定ポリシーに基づいてモード切替方式を確定し；
前記モード切替方式が完全PDCPパラメータ交換であれば、前記eNBがD2DリンクのUEにモード切替準備命令を送信し；及び
前記UEにより報告されたPDCP送信パラメータ、PDCP受信パラメータ、及びPDCP状態報告を受信した場合、前記eNBが、前記PDCP送信パラメータ、PDCP受信パラメータ、及びPDCP状態報告を前記UEのD2D通信相手UEのサービングeNBに転送することを含む。
【００１６】
本発明の実施例の第八側面によれば、通信モード切替方法が提供され、前記方法はD2D通信中におけるUEに用いられ、そのうち、前記方法は、
前記UEがeNBにより送信されたモード切替準備命令を受信した場合、前記UEが前記eNBにPDCP送信パラメータ、PDCP受信パラメータ、及びPDCP状態報告を報告し、これにより、前記eNBが、前記PDCP送信パラメータ、PDCP受信パラメータ、及びPDCP状態報告を前記UEのD2D通信相手UEのサービングeNBに転送することを含む。
【００１７】
本発明の実施例の第九側面によれば、通信モード切替方法が提供され、前記方法はeNBに用いられ、そのうち、前記方法は、
前記eNBが所定ポリシーに基づいてモード切替方式を確定し；
前記モード切替方式が部分PDCPパラメータ交換であれば、前記eNBがD2DリンクのUEにモード切替準備命令を送信し；及び
前記UEにより報告された１番目の紛失したPDCP受信SN及びそれに対応するHFNを受信した場合、前記eNBが、前記UEの１番目の紛失したPDCP受信SN及びそれに対応するHFNを前記UEのD2D通信相手UEのサービングeNBに転送することを含む。
【００１８】
本発明の実施例の第十側面によれば、通信モード切替方法が提供され、前記方法はD2D通信中におけるUEに用いられ、そのうち、前記方法は、
前記UEがeNBにより送信されたモード切替準備命令を受信した場合、前記UEが前記eNBに１番目の紛失したPDCP受信SN及びそれに対応するHFNを報告し、これにより、前記eNBが前記１番目の紛失したPDCP受信SN及びそれに対応するHFNを前記UEのD2D通信相手UEのサービングeNBに転送することを含む。
【００１９】
本発明の実施例の第十一側面によれば、通信モード切替方法が提供され、前記方法はeNBに用いられ、そのうち、前記方法は、
前記eNBが所定ポリシーに基づいてモード切替方式を確定し；
前記モード切替方式が完全PDCPパラメータ交換又は部分PDCPパラメータ交換であれば、前記eNBがD2DリンクのUEにモード切替準備命令を送信し、これにより、UEがそのセルラーリンクを保持し；
前記eNBが通信モード切替前のリンク上で、前記D2Dリンクに関連するコアネットワークデータパケットの伝送が全て完了するまでに前記UEにデータを伝送し、又は、前記D2Dリンクに関連するコアネットワークデータパケット及び他のeNBにより転送されたデータパケットの伝送が全て完了するまでに前記UEにデータを伝送し；
前記eNBが前記UEに第二モード切替命令を送信し、これにより、前記UEがその相手UEに次の１つのPDCP受信SN及びそれに対応するHFNを送信し；及び
前記eNBが前記UEにPDCP状態報告、又は１番目の紛失したPDCP受信SN及びそれに対応するHFNを送信し、これにより、前記UEがこれに基づいてPDCPデータパケットを再送することを含む。
【００２０】
本発明の実施例の第十二側面によれば、通信モード切替方法が提供され、前記方法はUEに用いられ、そのうち、前記方法は、
前記UEがeNBにより送信されたモード切替準備命令を受信した場合、前記UEが上述のeNBにより伝送されたデータを受信するために、セルラーリンクを保持し；
前記UEが第二モード切替命令を受信した場合、前記UEがその相手UEに次の１つのPDCP受信SN及びそれに対応するHFNを送信することを含む。
【００２１】
本発明の実施例の第十三側面によれば、eNBが提供され、そのうち、前記eNBは、
所定ポリシーに基づいてモード切替方式を確定するための確定ユニット；及び
前記確定ユニットが確定したモード切替方式がPDCPパラメータ無し交換である時に、D2DリンクのUEに第一モード切替命令を送信し、また、全てのPDCP送信パラメータ及びPDCP受信パラメータを0にリセットするための処理ユニットを含む。
【００２２】
本発明の実施例の第十四側面によれば、UEが提供され、そのうち、前記UEは、
前記UEがeNBにより送信された第一モード切替命令を受信した時に、全てのPDCP送信パラメータ及びPDCP受信パラメータを0にリセットし、また、通信モード切替後のリンク上でデータを伝送するための処理ユニットを含む。
【００２３】
本発明の実施例の第十五側面によれば、eNBが提供され、そのうち、前記eNBは、
所定ポリシーに基づいてモード切替方式を確定するための確定ユニット；
前記確定ユニットが確定したモード切替方式が完全PDCPパラメータ交換である時に、D2DリンクのUEにモード切替準備命令を送信するための第一送信ユニット；
前記eNBが前記UEにより報告されたPDCP送信パラメータ、PDCP受信パラメータ、及びPDCP状態報告を受信した時に、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信するための処理ユニット；及び
前記UEに第二モード切替命令を送信するための第二送信ユニットを含む。
【００２４】
本発明の実施例の第十六側面によれば、UEが提供され、そのうち、前記UEは、
前記UEがeNBにより送信されたモード切替準備命令を受信した時に、前記eNBにPDCP送信パラメータ、PDCP受信パラメータ、及びPDCP状態報告を報告し、これにより、前記eNBが、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信するための第一送信ユニットを含む。
【００２５】
本発明の実施例の第十七側面によれば、eNBが提供され、そのうち、前記eNBは、
所定ポリシーに基づいてモード切替方式を確定するための確定ユニット；
前記確定ユニットが確定したモード切替方式が部分PDCPパラメータ交換である時に、D2DリンクのUEにモード切替準備命令を送信するための第一送信ユニット；
前記eNBが前記UEにより報告された１番目の紛失したPDCP受信SN及びそれに対応するHFNを受信した時に、前記１番目の紛失したPDCP受信SN及びそれに対応するHFNに基づいて前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信するための処理ユニット；及び
前記UEに第二モード切替命令を送信するための第二送信ユニットを含む。
【００２６】
本発明の実施例の第十八側面によれば、UEが提供され、そのうち、前記UEは、
前記UEがeNBにより送信されたモード切替準備命令を受信した時に、前記eNBに１番目の紛失したPDCP受信SN及びそれに対応するHFNを報告し、これにより、前記eNBが前記１番目の紛失したPDCP受信SN及びそれに対応するHFNに基づいて前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信するための第一送信ユニットを含む。
【００２７】
本発明の実施例の第十九側面によれば、eNBが提供され、そのうち、前記eNBは、
所定ポリシーに基づいてモード切替方式を確定するための確定ユニット；
前記確定ユニットが確定したモード切替方式が完全PDCPパラメータ交換である時に、D2DリンクのUEにモード切替準備命令を送信するための第一送信ユニット；及び
前記eNBが前記UEにより報告されたPDCP送信パラメータ、PDCP受信パラメータ、及びPDCP状態報告を受信した時に、前記PDCP送信パラメータ、PDCP受信パラメータ、及びPDCP状態を前記UEのD2D通信相手UEのサービングeNBに転送するための第一処理ユニットを含む。
【００２８】
本発明の実施例の第二十側面によれば、UEが提供され、そのうち、前記UEは、
前記UEがeNBにより送信されたモード切替準備命令を受信した時に、前記eNBにPDCP送信パラメータ、PDCP受信パラメータ、及びPDCP状態報告を報告し、これにより、前記eNBが前記PDCP送信パラメータ、PDCP受信パラメータ、及びPDCP状態を前記UEのD2D通信相手UEのサービングeNBに転送するための第一送信ユニットを含む。
【００２９】
本発明の実施例の第二十一側面によれば、eNBが提供され、そのうち、前記eNBは、
所定ポリシーに基づいてモード切替方式を確定するための確定ユニット；
前記確定ユニットが確定したモード切替方式が部分PDCPパラメータ交換である時に、D2DリンクのUEにモード切替準備命令を送信するための第一送信ユニット；及び
前記eNBが前記UEにより報告された１番目の紛失したPDCP受信SN及びそれに対応するHFNを受信した時に、前記UEの１番目の紛失したPDCP受信SN及びそれに対応するHFNを前記UEのD2D通信相手UEのサービングeNBに転送するための第一処理ユニットを含む。
【００３０】
本発明の実施例の第二十二側面によれば、UEが提供され、そのうち、前記UEは、
前記UEがeNBにより送信されたモード切替準備命令を受信した時に、前記eNBに１番目の紛失したPDCP受信SN及びそれに対応するHFNを報告し、これにより、前記eNBが前記１番目の紛失したPDCP受信SN及びそれに対応するHFNを前記UEのD2D通信相手UEのサービングeNBに転送するための第一送信ユニットを含む。
【００３１】
本発明の実施例の第二十三側面によれば、eNBが提供され、そのうち、前記eNBは、
所定ポリシーに基づいてモード切替方式を確定するための確定ユニット；
前記確定ユニットが確定したモード切替方式が完全PDCPパラメータ交換又は部分PDCPパラメータ交換である時に、D2DリンクのUEにモード切替準備命令を送信し、これにより、UEがそのセルラーリンクを保持するための第一送信ユニット；
通信モード切替前のリンク上で、前記D2Dリンクに関連するコアネットワークデータパケットの伝送が全て完了するまでに前記UEにデータを伝送し、又は、前記D2Dリンクに関連するコアネットワークデータパケット及び他のeNBにより転送されたデータパケットの伝送が全て完了するまでに前記UEにデータを伝送するための第一データ伝送ユニット；
前記UEに第二モード切替命令を送信し、これにより、前記UEがその相手UEに次の１つのPDCP受信SN及びそれに対応するHFNを送信するための第二送信ユニット；及び
前記UEにPDCP状態報告又は１番目の紛失したPDCP受信SN及びそれに対応するHFNを送信し、これにより、前記UEがこれに基づいてPDCPデータパケットを再送するための第三送信ユニットを含む。
【００３２】
本発明の実施例の第二十四側面によれば、UEが提供され、そのうち、前記UEは、
前記UEがeNBにより送信されたモード切替準備命令を受信した時に、上述のeNBにより伝送されたデータを受信するためにセルラーリンクを保持するための受信ユニット；及び
前記UEが第二モード切替命令を受信した時に、前記UEのD2D通信相手UEに次の１つのPDCP受信SN及びそれに対応するHFNを送信するための送信ユニットを含む。
【００３３】
本発明の実施例の第二十五側面によれば、通信システムが提供され、そのうち、前記通信システムは、前述の第十三側面に記載のeNB及び少なくとも２つの前述の第十四側面に記載のUEを含み；又は、前記通信システムは、前述の第十五側面に記載のeNB及び少なくとも２つの前述の第十六側面に記載のUEを含み；又は、前記通信システムは、前述の第十七側面に記載のeNB及び少なくとも２つの前述の第十八側面に記載のUEを含み；又は、前記通信システムは、前述の第十九側面に記載のeNB及び少なくとも２つの前述の第二十側面に記載のUEを含み；又は、前記通信システムは、前述の第二十一側面に記載のeNB及び少なくとも２つの前述の第二十二側面に記載のUEを含み；又は、前記通信システムは、前述の第二十三側面に記載のeNB及び少なくとも２つの前述の第二十四側面に記載のUEを含む。
【００３４】
本発明の実施例の他の側面によれば、更にコンピュータ可読プログラムが提供され、そのうち、端末装置中で該プログラムを実行する時に、該プログラムは、コンピュータに、前記端末装置中で前述の第二、四、六、八、十、十二側面のうちの任意の１つの側面に記載の通信モード切替方法を実行させる。
【００３５】
本発明の実施例の他の側面によれば、更にコンピュータ可読プログラムを記録した記録媒体が提供され、そのうち、該コンピュータ可読プログラムは、コンピュータに、端末装置中で前述の第二、四、六、八、十、十二側面のうちの任意の１つの側面に記載の通信モード切替方法を実行させる。
【００３６】
本発明の実施例の他の側面によれば、更にコンピュータ可読プログラムが提供され、そのうち、基地局中で該プログラムを実行する時に、該プログラムは、コンピュータに、前記基地局中で前述の第一、三、五、七、九、十一側面のうちの任意の１つの側面に記載の通信モード切替方法を実行させる。
【００３７】
本発明の実施例の他の側面によれば、更にコンピュータ可読プログラムを記録した記録媒体が提供され、そのうち、該コンピュータ可読プログラムは、コンピュータに、在基地局中で前述の第一、三、五、七、九、十一側面のうちの任意の１つの側面に記載の通信モード切替方法を実行させる。
【００３８】
本発明の実施例の有益な効果は、本発明の実施例における方法、装置及びシステムにより、異なる通信モード切替シナリオに異なる解決案を提供することで、モード切替時のサービス連続性問題を完全に解決できることにある。
【００３９】
後述の説明及び図面を参照することにより、本発明の特定の実施方式が詳しく開示されており、本発明の原理を採用し得る態様が示されている。なお、本発明の実施方式は、範囲上ではこれらによって限定されない。添付した特許請求の範囲の精神及び技術範囲内であれば、本発明の実施方式は、様々な変更、修正及び代替によるものを含んでも良い。
【００４０】
また、１つの実施方式について説明した及び／又は示した特徴は、同じ又は類似する方式で１つ又は複数の他の実施方式に用い、他の実施方式中の特徴と組み合わせ、又は他の実施方式中の特徴を置換することができる。
【００４１】
なお、「含む／有する」のような用語は、本明細書に使用される時に、特徴、要素、ステップ、又はアセンブルの存在を指すが、１つ又は複数の他の特徴、要素、ステップ、又はアセンブリの存在又は付加を排除しないということも指す。
【図面の簡単な説明】
【００４２】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する部分は、拡大又は縮小されることがある。また、本発明の１つの図面又は実施方式に記載の要素及び特徴は、１つ又は複数の他の図面又は実施方式に示す要素及び特徴と組み合わせることができる。さらに、図面では、類似する符号は幾つかの図面中の対応する要素を示し、また、複数の実施方式に使用される対応する要素を示すために用いることができる。
【図１】セルラー通信モードのネットワークトポロジーを示す図である。
【図２】もう１つのセルラー通信モードのネットワークトポロジーを示す図である。
【図３】D2D通信モードのネットワークトポロジーを示す図である。
【図４】もう１つのD2D通信モードのネットワークトポロジーを示す図である。
【図５】本発明の実施例1、4、7、10における通信モード切替方法のフローチャートである。
【図６】実施例1における方法の情報交換を示す図である。
【図７】本発明の実施例2における通信モード切替方法のフローチャートである。
【図８】図7に示す方法の情報交換を示す図である。
【図９】本発明の実施例3における通信モード切替方法のフローチャートである。
【図１０】図9に示す方法の情報交換を示す図である。
【図１１】実施例4における方法の情報交換を示す図である。
【図１２】本発明の実施例5における通信モード切替方法のフローチャートである。
【図１３】図12に示す方法の情報交換を示す図である。
【図１４】本発明の実施例6における通信モード切替方法のフローチャートである。
【図１５】図14に示す方法の情報交換を示す図である。
【図１６】実施例7における方法の情報交換を示す図である。
【図１７】本発明の実施例8における通信モード切替方法のフローチャートである。
【図１８】図17に示す方法の情報交換を示す図である。
【図１９】本発明の実施例9における通信モード切替方法のフローチャートである。
【図２０】図19に示す方法の情報交換を示す図である。
【図２１】実施例10における方法の情報交換を示す図である。
【図２２】実施例11における方法の情報交換を示す図である。
【図２３】実施例12における方法の情報交換を示す図である。
【図２４】本発明の実施例13における通信モード切替方法のフローチャートである。
【図２５】本発明の実施例14における通信モード切替方法のフローチャートである。
【図２６】本発明の実施例15における通信モード切替方法のフローチャートである。
【図２７】本発明の実施例16における通信モード切替方法のフローチャートである。
【図２８】本発明の実施例17におけるeNBの構成を示す図である。
【図２９】本発明の実施例18におけるeNBの構成を示す図である。
【図３０】本発明の実施例19におけるeNBの構成を示す図である。
【図３１】本発明の実施例20におけるeNBの構成を示す図である。
【図３２】本発明の実施例21におけるeNBの構成を示す図である。
【図３３】本発明の実施例22におけるeNBの構成を示す図である。
【図３４】本発明の実施例23におけるUEの構成を示す図である。
【図３５】本発明の実施例24におけるUEの構成を示す図である。
【図３６】本発明の実施例25におけるUEの構成を示す図である。
【図３７】本発明の実施例26におけるUEの構成を示す図である。
【発明を実施するための形態】
【００４３】
図面及び以下の説明を参照することによって、本発明の前述の及び他の特徴が明らかになる。これらの実施方式は、例示だけであり、本発明への制限ではない。当業者が容易に本発明の原理及び実施方式を理解し得るために、本発明の実施方式は、図1及び図2に示すセルラー通信モード、及び、図3及び図4に示すD2D通信モードを例とし、本発明の実施例の通信モード切替方法について説明しているが、理解すべきは、本発明の実施例は、上述の通信モードに限定されず、通信モード切替に関する他のシナリオにも適用し得るということである。
【００４４】
本発明の実施例では、eNBとUEとの間、UEとUEとの間、及び/又は、eNBとeNBとの間でPDCPパラメータを交換することで通信モード切替時のサービス連続性を実現する。今のところ、プロトコルにおけるPDCPパラメータは、主に、PDCP送信パラメータ、PDCP受信パラメータ、及びPDCP状態報告を含む。そのうち、PDCP送信パラメータは、次の１つ（Next）のPDCPパケットの送信シーケンス番号（SN、Serial  Number）及びそれに対応するハイパーフレーム番号(HFN、Hyper  Frame  Number)を含む。PDCP受信パラメータは、次の１つのPDCPパケットの受信SN及びそれに対応するHFN、及び最後の１つの提出したPDCP受信SNを含む。PDCP状態報告は、１番目の紛失したPDCP受信SN及びそれに対応するHFN、及び受信状態を反映するビットマップを含み、そのうち、該ビットマップは、１番目の紛失したPDCP受信SNの次の１つのSNから始まるものであっても良く、その長さは、可変であり、例えば、0であっても良い。
【００４５】
本発明の実施例では、モード切替時にノード間でPDCPパラメータを交換する必要があるどうかに基づいて、本発明の実施例が３種類のモード切替方式を提案し、即ち、完全PDCPパラメータ交換、部分PDCPパラメータ交換、及びPDCPパラメータ無し交換である。そのうち、完全PDCPパラメータ交換のモード切替方式では、要交換のPDCPパラメータが、PDCP送信パラメータ、PDCP受信パラメータ、及びPDCP状態報告を含む。そのうち、部分PDCPパラメータ交換のモード切替方式では、要交換のPDCPパラメータが、一部のPDCP状態報告のみを含み、例えば、１番目の紛失したPDCP受信SN及びそれに対応するHFNを含む。そのうち、PDPCパラメータ無し交換のモード切替方式では、全てのノードのPDCPパラメータが0にリセットされる。
【００４６】
以下、異なる通信モード切替シナリオをもとに、本発明の実施例における方法、装置及びシステムについて詳細に説明する。
【００４７】
次の実施例1〜実施例3は、図3に示すD2D通信モードから図2に示すセルラー通信モードへの切替シナリオに適用し、また、図3に示すD2D通信モードから図4に示すD2D通信モードへの切替シナリオにも適用する。そのうち、実施例1は、PDCPパラメータ無し交換の場合であり、実施例2は、完全PDCPパラメータ交換の場合であり、実施例3は、部分PDCPパラメータ交換の場合である。
【実施例１】
【００４８】
本発明の実施例では通信モード切替方法が提供され、前記方法はeNBに用いられる。図5は該方法のフローチャートであり、図5に示すように、該方法は次のステップを含む。
【００４９】
ステップ501：前記eNBが所定ポリシーに基づいてモード切替方式を確定し；
本実施例では、異なるサービスニーズに基づいて、eNBが前述のどのモード切替方式を使用するかを決定でき、例えば、瞬時性への要求が比較的高く且つ一部のデータ紛失が許可され得るサービス（会話サービスなど）について、パラメータ無し交換を採用しても良く、非瞬時性であり且つデータ紛失が許可されないサービス（交換サービスなど）について、部分パラメータ交換又は完全パラメータ交換を採用しても良い。eNBが決定するモード切替方式は、UEと事前に合意を取っても良く、シグナリング（例えば、RRC層シグナリング）で構成しても良く、本発明の実施例は、これについて限定しない。
【００５０】
ステップ502：前記モード切替方式がPDCPパラメータ無し交換であれば、前記eNBがD2DリンクのUEに第一モード切替命令を送信し、また、全てのPDCP送信パラメータ及びPDCP受信パラメータを0にリセットする。
【００５１】
そのうち、セルラー通信モードでは、１つのeNBが２つのUEをサービングするので、該eNBは、D2D通信モードにおける２つのUEに上述の第一モード切替命令を送信する。即ち、前記D2DリンクのUEは、例えば、図3に示すD2D通信モードにおけるUE1及びUE2である。
【００５２】
本実施例では、eNBがPDCPパラメータ無し交換のモード切替方式の使用を確定した時に、D2DリンクのUEにモード切替命令（便宜のため、本発明の実施例では第一モード切替命令という）を送信し、また、全てのPDCP送信パラメータ及びPDCP受信パラメータを0にリセットする。それ相応に、該第一モード切替命令を受信したUEも、そのPDCP送信パラメータ及びPDCP受信パラメータを0にリセットする。このようにして、該UEは、D2D通信モードからセルラー通信モードへの切替を完成し、また、切替後のリンク上でデータを伝送することができる。
【００５３】
図6は、本実施例のeNBとUEとの間の情報交換を示す図である。図6に示すように、eNBがPDCPパラメータ無し交換のモード切替方式の使用を確定した時に、eNBは、UE1及びUE2に第一モード切替命令をそれぞれ送信し、また、そのPDCP送信パラメータ及びPDCP受信パラメータを0にリセットする。UE1及びUE2も、eNBからの第一モード切替命令を受信した後に、各自のPDCP送信パラメータ及びPDCP受信パラメータを0にリセットする。このようにして、該UE1及びUE2は、D2D通信モードからセルラー通信モードへの切替を完成し、切替後のリンク上でデータを伝送することができる。
【００５４】
本実施例の方法により、eNBがPDCPパラメータ無し交換のモード切替方式の使用を確定した時に、D2DリンクのUEに第一モード切替命令を送信することで、該UEは、そのPDCP送信パラメータ及びPDCP受信パラメーを0にリセットし、このようにして、通信モードの切替を完成することができる。
【実施例２】
【００５５】
本発明の実施例では更に通信モード切替方法が提供され、前記方法はeNBに用いられる。図7は該方法のフローチャートであい、図7に示すように、該方法は次のステップを含む。
【００５６】
ステップ701：前記eNBが所定ポリシーに基づいてモード切替方式を確定し；
そのうち、該ステップ701の処理方式は実施例1のステップ501の処理方式と同じであるため、その内容がここに合併され、詳しい説明が省略される。
【００５７】
ステップ702：前記モード切替方式が完全PDCPパラメータ交換であれば、前記eNBがD2DリンクのUEにモード切替準備命令を送信し；
そのうち、ステップ701でモード切替方式が完全PDCPパラメータ交換であると確定した時に、eNBは、D2DリンクのUEにモード切替準備命令を送信し、これにより、該D2DリンクのUEは、通信モード切替の準備を行うことができる。
【００５８】
そのうち、実施例1と同様に、ここでのD2DリンクのUEは、D2D通信中における２つのUEであり、例えば、図2に示すUE1及びUE2である。
【００５９】
ステップ703：前記UEにより報告されたPDCP送信パラメータ、PDCP受信パラメータ、及びPDCP状態報告を受信した時に、前記eNBは、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信し；
そのうち、完全PDCPパラメータ交換であるため、該モード切替準備命令を受信したUEは、そのサービングeNBに、そのPDCP送信パラメータ、PDCP受信パラメータ、及びPDCP状態報告を報告することができる。
【００６０】
本実施例では、該情報を受信したeNBは、受信した該情報に基づいてパラメータ構成を行うことができ、例えば、受信した該UEのPDCP送信パラメータを、相手UEとの間の下りリンクの送信パラメータとし、受信した該UEのPDCP受信パラメータを、相手UEとの間の上りリンクの受信パラメータとしても良い。
【００６１】
本実施例では、該情報を受信したeNBは更に、受信した該UEのPDCP状態報告を相手UEに送信し、これにより、相手UEはこれに基づいて、まだ成功裏に受信されていないPDCPデータパケットを再送することができる。
【００６２】
ステップ704：前記eNBが前記UEに第二モード切替命令を送信する。
【００６３】
そのうち、該eNBは、受信した上述の情報に基づいてステップ703のような処理を行った後に、更に該UEにモード切替命令（便宜のため、本発明の実施例では第二モード切替命令という）を送信する必要があり、UEは該第二モード切替命令を受信した後に、D2D通信モードからセルラー通信モードへの切替を完成し、そして、切替後のリンク上でデータを伝送することができ、例えば、上述のように、通信モード切替後のリンク上で、まだ成功裏に受信されていないPDCPデータパケットを再送することができる。
【００６４】
本実施例では、ステップ704及びステップ703の実行順序について限定せず、具体的な実施過程では、この２つのステップが合併して（並列に）実行されても良く、UEは、通信相手UEのPDCP状態報告（ステップ703で送信された）及び第二モード切替命令（ステップ704で送信された）を受信した後に、該通信相手UEのPDCP状態報告に基づいて、モード切替後のリンク上で、まだ成功裏に受信されていないPDCPデータパケットを再送することができる。
【００６５】
図8は、本実施例のeNBとUEとの間の情報交換を示す図である。図8に示すように、完全PDCPパラメータ交換のモード切替方式の採用を確定した時に、eNBは、UE1及びUE2にモード切替準備命令をそれぞれ送信する。完全PDCPパラメータ交換方式を採用するため、UE1及びUE2は、該モード切替準備命令を受信した後に、該eNBに各自のPDCP送信パラメータ、PDCP受信パラメータ、及びPDCP状態報告を報告する。UE1が送信した上述の情報を受信した後に、eNBは、該UE1のPDCP送信パラメータを、UE2との間の下りリンクの送信パラメータとし（構成1）、また、該UE1のPDCP受信パラメータを、UE2との間の上りリンクの受信パラメータとし（構成2）、同時に、UE2にUE1のPDCP状態報告及び第二モード切替命令を送信し、これにより、UE2はこれに基づいてモード切替後のリンク上で、まだ成功裏に受信されていないPDCPデータパケットを再送することができる。同様に、UE2が送信した上述の情報を受信した後に、eNBは、該UE2のPDCP送信パラメータを、UE1との間の下りリンクの送信パラメータとし、また、該UE2のPDCP受信パラメータを、UE1との間の上りリンクの受信パラメータとし、同時に、UE1にUE2のPDCP状態報告及び第二モード切替命令を送信し、これにより、UE1はこれに基づいてモード切替後のリンク上で、まだ成功裏に受信されていないPDCPデータパケットを再送することができる。
【００６６】
本実施例の方法により、UEのD2D通信モードからセルラー通信モードへの切替を実現することができ、且つ、サービスニーズに基づいて全てのPDCPパラメータを交換することで、サービスの連続性を保証することができる。
【実施例３】
【００６７】
本発明の実施例では更に通信モード切替方法が提供され、前記方法はeNBに用いられる。図9は該方法のフローチャートであり、図9に示すように、該方法は次のステップを含む。
【００６８】
ステップ901：前記eNBが所定ポリシーに基づいてモード切替方式を確定し；
そのうち、該ステップ901の処理方式は実施例1のステップ501の処理方式と同じであるため、その内容がここに合併され、詳しい説明が省略される。
【００６９】
ステップ902：前記モード切替方式が部分PDCPパラメータ交換であれば、前記eNBがD2DリンクのUEにモード切替準備命令を送信し；
そのうち、ステップ901でモード切替方式が部分PDCPパラメータ交換であると確定して時に、eNBはD2DリンクのUEにモード切替準備命令を送信し、これにより、該D2DリンクのUEは通信モード切替の準備を行うことができる。
【００７０】
そのうち、実施例1と同様に、ここでのD2DリンクのUEはD2D通信中における２つのUEであり、例えば、図2に示すUE1及びUE2である。
【００７１】
ステップ903：前記UEにより報告された１番目の紛失したPDCP受信SN及びそれに対応するHFNを受信した時に、前記eNBは、前記１番目の紛失したPDCP受信SN及びそれに対応するHFNに基づいて、PDCP送信パラメータ及びPDCP受信パラメータをリセットし、また、前記１番目の紛失したPDCP受信SN及びそれに対応するHFNを前記UEのD2D通信相手UEに送信し；
そのうち、部分PDCPパラメータ交換であるため、該モード切替準備命令を受信したUEは、そのサービングeNBにその１番目の紛失したPDCP受信SN及びそれに対応するHFNを報告する。
【００７２】
本実施例では、該情報を受信したeNBは、受信した該UEの１番目の紛失したPDCP受信SN及びそれに対応するHFNに基づいて、そのPDCP送信パラメータ及びPDCP受信パラメータをリセットすることができ、例えば、受信した該UEのPDCP送信パラメータを、相手UEとの間の下りリンクの送信パラメータとし、また、受信した該UEの１番目の紛失したPDCP受信SN及びそれに対応するHFNを相手UEに送信し、これにより、相手UEはこれに基づいてPDCPデータパケットを再送することができ、例えば、前記１番目の紛失したPDCP受信SN及びそれに対応するHFNから、全ての既に送信したPDCPデータパケットを再送することができる。
【００７３】
ステップ904：前記eNBが前記UEに第二モード切替命令を送信する。
【００７４】
そのうち、該eNBは、受信した上述の情報に基づいてステップ903のような処理を行った後に、更に該UEに第二モード切替命令を送信する必要があり、UEは該第二モード切替命令を受信した後に、D2D通信モードからセルラー通信モードへの切替を完成し、そして、切替後のリンク上でデータを伝送することができ、例えば、上述のように、通信モード切替後のリンク上で、前記１番目の紛失したPDCP受信SN及びそれに対応するHFNから、全ての既に送信したPDCPデータパケットを再送することができる。
【００７５】
本実施例では、ステップ904及びステップ903の実行順序について限定せず、具体的な実施過程では、この２つのステップが合併して実行されても良く、UEは、通信相手UEの前記１番目の紛失したPDCP受信SN及びそれに対応するHFN（ステップ903で送信された）及び第二モード切替命令（ステップ904で送信された）を受信した後に、該通信相手UEの前記１番目の紛失したPDCP受信SNから、モード切替後のリンク上で、全ての既に送信したPDCPデータパケットを再送することができる。
【００７６】
図10は、本実施例のeNBとUEとの間の情報交換を示す図である。図10に示すように、部分PDCPパラメータ交換のモード切替方式の採用を確定した時に、eNBはUE1及びUE2にモード切替準備命令をそれぞれ送信する。部分PDCPパラメータ交換方式を採用するため、UE1及びUE2は該モード切替準備命令を受信した後に、該eNBに各自の１番目の紛失したPDCP受信SN及びそれに対応するHFNを報告する。UE1が送信した上述の情報を受信した後に、eNBは、UE1の該情報に基づいてUE2との間のセルラーリンクのPDCP送信パラメータ及びPDCP受信パラメータ（構成3）をリセットし、また、該UE1の１番目の紛失したPDCP受信SN及びそれに対応するHFNをUE2に送信し、これにより、UE2は、eNBが送信した第二モード切替命令を受信した後に、これに基づいて、対応するPDCPデータパケットを再送することができる。同様に、UE2が送信した上述の情報を受信した後に、eNBは、UE2の１番目の紛失したPDCP受信SN及びそれに対応するHFNに基づいてUE1との間のセルラーリンクのPDCP送信パラメータ及びPDCP受信パラメータをリセットし（構成3）、また、UE2の１番目の紛失したPDCP受信SN及びそれに対応するHFNをUE1に送信し、これにより、UE1は、第二モード切替命令を受信した後に、これに基づいて、対応するPDCPデータパケットを再送することができる。また、eNBは更に、UE1及びUE2に第二モード切替命令を送信し、UE1及びUE2は、該第二モード切替命令に基づいて、D2D通信モードからセルラー通信モードへの切替を完成し、そして、切替後のリンク上でデータを伝送することができ、例えば、１番目の紛失したPDCP受信SNから、全ての既に送信したPDCPデータパケットを再送することができる。
【００７７】
本実施例の方法により、UEのD2D通信モードからセルラー通信モードへの切替を実現することができ、且つ、サービスニーズに基づいて一部のPDCPパラメータのみを交換することで、サービスの連続性を保証することができる。
【００７８】
次の実施例4〜実施例6は図3に示すD2D通信モードから図1に示すセルラー通信モードへの切替シナリオに適用する。そのうち、実施例4はPDCPパラメータ無し交換の場合であり、実施例5は完全PDCPパラメータ交換の場合であり、実施例6は部分PDCPパラメータ交換の場合である。
【実施例４】
【００７９】
本発明の実施例では更に通信モード切替方法が提供され、前記方法はeNBに用いられる。該方法は図5に示す方法で実現され、図5に示すように、該方法は次のステップを含む。
【００８０】
ステップ501：前記eNBが所定ポリシーに基づいてモード切替方式を確定し；
ステップ502：前記モード切替方式がPDCPパラメータ無し交換であれば、前記eNBがD2DリンクのUEに第一モード切替命令を送信し、また、全てのPDCP送信パラメータ及びPDCP受信パラメータを0にリセットする。
【００８１】
実施例1と異なるのは、本実施例では、D2D通信モードにおけるUEはそれぞれ２つの異なるeNBによりサービスが提供される。よって、本実施例では、異なるeNBは図5に示す方法でそのUEに上述の第一モード切替命令を送信し、また、全てのPDCP送信パラメータ及びPDCP受信パラメータを0にリセットすることができる。同様に、該第一モード切替命令を受信したUEも、そのPDCP送信パラメータ及びPDCP受信パラメーを0にリセットし、通信モードの切替を完成し、そして、切替後のリンク上でデータを伝送することができる。
【００８２】
図11は、本実施例のeNBとUEとの間の情報交換を示す図である。図11に示すように、PDCPパラメータ無し交換のモード切替方式の使用を確定した時に、eNB1は、UE1に第一モード切替命令を送信し、eNB2は、UE2に第一モード切替命令を送信し、同時に、eNB1及びeNB2は、各自のPDCP送信パラメータ及びPDCP受信パラメータを0にリセットする。UE1及びUE2も、各自のサービングeNBから送信された第一モード切替命令を受信した後に、各自のPDCP送信パラメータ及びPDCP受信パラメーを0にリセットし、このようにして、該UE1及びUE2は、D2D通信モードからセルラー通信モードへの切替を完成し、即ち、切替後のリンク上でデータを伝送することができる。
【００８３】
本実施例の方法により、UEのD2D通信モードからセルラー通信モードへの切替を実現することができ、且つ、サービスニーズに基づいてPDCPパラメータを交換しないことで、サービスの連続性を保証することができる。
【実施例５】
【００８４】
本発明の実施例では更に通信モード切替方法が提供され、前記方法はeNBに用いられる。図12は該方法のフローチャートであり、図12に示すように、該方法は次のステップを含む。
【００８５】
ステップ1201：前記eNBが所定ポリシーに基づいてモード切替方式を確定し；
そのうち、該ステップ1201の処理方式は実施例1のステップ501の処理方式と同じであるため、その内容がここに合併され、詳しい説明が省略される。
【００８６】
ステップ1202：前記モード切替方式が完全PDCPパラメータ交換であれば、前記eNBがD2DリンクのUEにモード切替準備命令を送信し；
そのうち、ステップ1201でモード切替方式が完全PDCPパラメータ交換であると確定した時に、eNBはD2DリンクのUEにモード切替準備命令を送信し、これにより、該D2DリンクのUEは通信モード切替の準備を行うことができる。
【００８７】
そのうち、セルラー通信モードでは、２つのeNBがそれぞれ２つのUEをサービングするため、各eNBは、そのUEに上述のモード切替準備命令を送信することができる。即ち、ここでのD2DリンクのUEは、D2D通信中におけるUEであり、且つ、前記eNBは、前記UEにサービスを提供する。
【００８８】
ステップ1203：前記UEにより報告されたPDCP送信パラメータ、PDCP受信パラメータ、及びPDCP状態報告を受信した場合、前記eNBは、前記PDCP送信パラメータ、PDCP受信パラメータ、及びPDCP状態報告を前記UEのD2D通信相手UEのサービングeNBに転送する。
【００８９】
そのうち、実施例2と同様に、完全PDCPパラメータ交換であるため、該モード切替準備命令を受信したUEは、そのサービングeNBに、そのPDCP送信パラメータ、PDCP受信パラメータ、及びPDCP状態報告を報告する。本実施例では、該情報を受信したeNBは、該情報を前記UEのD2D通信相手UEのサービングeNBに転送し、これにより、前記相手UEのサービングeNBは、これに基づいて、前記相手UEとの間の下りリンクの送信パラメータ、上りリンクの受信パラメータなどを構成することができる。
【００９０】
本実施例では、前記eNBが前記相手UEのサービングeNBから送信された前記相手UEのPDCP送信パラメータ、PDCP受信パラメータ、及びPDCP状態報告を受信した場合、前記eNBは、前記相手UEのPDCP送信パラメータを、前記UEとの間の下りリンクの送信パラメータとし、前記相手UEのPDCP受信パラメータを、前記UEとの間の上りリンクの受信パラメータとし、また、前記相手UEのPDCP状態報告及び第二モード切替命令を前記UEに送信し、これにより、前記UEはこれに基づいてモード切替後のリンク上で、まだ成功裏に受信されていないPDCPデータを送信することができる。
【００９１】
そのうち、実施例2と同様に、本実施例では、eNBがそのUEに第二モード切替命令に送信するステップと、eNBがそのUEに相手UEのPDCP状態報告を送信するステップとの間の先後順序についても限定せず、この２つのステップは合併して処理しても良い。
【００９２】
図13は、該実施例のeNBとUEとの間の情報交換を示す図である。図13に示すように、完全PDCPパラメータ交換のモード切替方式の採用を確定した時に、eNB1は、UE1にモード切替準備命令を送信し、eNB2は、UE2にモード切替準備命令を送信する。完全PDCPパラメータ交換方式を採用するため、UE1及びUE2は、各自のサービングeNBから送信された該モード切替準備命令を受信した後に、各自のサービングeNBに各自のPDCP送信パラメータ、PDCP受信パラメータ、及びPDCP状態報告を報告することができる。
【００９３】
図13に示すように、UE1はeNB1にUE1のPDCP送信パラメータ、PDCP受信パラメータ、及びPDCP状態報告を報告し、UE2はeNB2にUE2のPDCP送信パラメータ、PDCP受信パラメータ、及びPDCP状態報告を報告する。
【００９４】
eNB1はUE1が送信した上述の情報を受信した後に、該UE1のPDCP送信パラメータ、PDCP受信パラメータ、及びPDCP状態報告をUE2のサービングeNB、即ち、eNB2に転送する。eNB2はeNB1が送信したUE1のPDCP送信パラメータ、PDCP受信パラメータ、及びPDCP状態報告を受信した後に、これに基づいてUE2との間の下りリンクの送信パラメータ及び上りリンクの受信パラメータを構成することができ、例えば、UE1のPDCP送信パラメータを、UE2との間の下りリンクの送信パラメータとし、UE1のPDCP受信パラメータを、UE2との間の上りリンクの受信パラメータとし、また、UE1のPDCP状態報告をUE2に送信し、同時に、UE2に第二モード切替命令を送信し、これにより、UE2はこれに基づいて、まだ成功裏に受信されていないPDCPデータパケットを再送することができ、例えば、モード切替後のリンク上で上述のまだ成功裏に受信されていないPDCPデータパケットを再送することができる。
【００９５】
同様に、eNB2はUE2が送信した上述の情報を受信した後に、eNB1と同様な処理を行うことができ、例えば、該UE2のPDCP送信パラメータ、PDCP受信パラメータ、及びPDCP状態報告をUE1のサービングeNB、即ちeNB1に転送する。eNB1もeNB2が送信したUE2のPDCP送信パラメータ、PDCP受信パラメータ、及びPDCP状態報告を受信した後に、これに基づいてUE1との間の下りリンクの送信パラメータ及び上りリンクの受信パラメータを構成することができ、例えば、UE2のPDCP送信パラメータを、UE1との間の下りリンクの送信パラメータとし、また、該UE2のPDCP受信パラメータを、UE1との間の上りリンクの受信パラメータとし、同時に、UE1にUE2のPDCP状態報告及び第二モード切替命令を送信し、これにより、UE1はこれに基づいて、まだ成功裏に受信されていないPDCPデータパケットを再送することができ、例えば、モード切替後のリンク上で、上述のまだ成功裏に受信されていないPDCPデータパケットを再送することができる。
【００９６】
本実施例の方法により、UEのD2D通信モードからセルラー通信モードへの切替を実現することができ、且つ、サービスニーズに基づいて全てのPDCPパラメータを交換することで、サービスの連続性を保証することができる。
【実施例６】
【００９７】
本発明の実施例では更に通信モード切替方法が提供され、前記方法はeNBに用いられる。図14は該方法のフローチャートであり、図14に示すように、該方法は次のステップを含む。：
ステップ1401：前記eNBが所定ポリシーに基づいてモード切替方式を確定し；
そのうち、該ステップ1401の処理方式は実施例1のステップ501の処理方式と同じであるため、その内容がここに合併され、詳しい説明が省略される。
【００９８】
ステップ1402：前記モード切替方式が部分PDCPパラメータ交換であれば、前記eNBがD2DリンクのUEにモード切替準備命令を送信し；
そのうち、ステップ1401でモード切替方式が部分PDCPパラメータ交換であると確定した時に、eNBはD2DリンクのUEにモード切替準備命令を送信し、これにより、該D2DリンクのUEは通信モード切替の準備を行うことができる。
【００９９】
そのうち、セルラー通信モードでは、２つのeNBがそれぞれ２つのUEをサービングすするため、各eNBはそのUEに上述のモード切替準備命令を送信することができる。即ち、ここでのD2DリンクのUEは、D2D通信中におけるUEであり、且つ、前記eNBは、前記UEにサービスを提供する。
【０１００】
ステップ1403：前記UEにより報告された１番目の紛失したPDCP受信SN及びそれに対応するHFNを受信した場合、前記eNBは前記UEの１番目の紛失したPDCP受信SN及びそれに対応するHFNを前記UEのD2D通信相手UEのサービングeNBに転送する。
【０１０１】
そのうち、実施例3と同様に、部分PDCPパラメータ交換であるため、該モード切替準備命令を受信したUEはそのサービングeNBにその１番目の紛失したPDCP受信SN及びそれに対応するHFNを報告することができる。本実施例では、該情報を受信したeNBは、該情報を前記UEのD2D通信相手UEのサービングeNBに転送し、これにより、前記相手UEのサービングeNBはこれに基づいてPDCP送信及び受信パラメータをリセットすることができる。
【０１０２】
本実施例では、前記eNBが前記相手UEのサービングeNBから送信された前記相手UEの１番目の紛失したPDCP受信SN及びそれに対応するHFNを受信した場合、eNBは前記相手UEの１番目の紛失したPDCP受信SN及びそれに対応するHFNに基づいてPDCP送信パラメータ及びPDCP受信パラメータをリセットし、また、前記相手UEの１番目の紛失したPDCP受信SN及びそれに対応するHFNを前記UEに送信し、これにより、前記UEはこれに基づいて、対応するデータを再送することができ、例えば、該１番目の紛失したPDCP受信SNから、全ての既に送信したPDCPデータパケットを再送することができる。また、該eNBは更に前記UEに第二モード切替命令を送信し、これにより、該UEは通信モードの切替を完成し、そして、切替後のリンク上でデータを伝送することができ、例えば、切替後のリンク上で上述の対応するデータを再送することができる。
【０１０３】
そのうち、実施例3と同様に、本実施例では、eNBがそのUEに第二モード切替命令を送信するステップと、eNBがそのUEに相手UEのPDCP状態報告を送信するステップとの間の先後順序についても限定せず、この２つのステップは合併して処理しても良い。
【０１０４】
図15は、該実施例のeNBとUEとの間の情報交換を示す図である。図15に示すように、部分PDCPパラメータ交換のモード切替方式の採用を確定した時に、eNB1はUE1にモード切替準備命令を送信し、eNB2はUE2にモード切替準備命令を送信する。部分PDCPパラメータ交換方式を採用するため、UE1及びUE2は各自のサービングeNBから送信された該モード切替準備命令を受信した後に、各自のサービングeNBに各自の１番目の紛失したPDCP受信SN及びそれに対応するHFNを報告する。
【０１０５】
図15に示すように、UE1はeNB1にその１番目の紛失したPDCP受信SN及びそれに対応するHFNを報告し、UE2はeNB2にその１番目の紛失したPDCP受信SN及びそれに対応するHFNを報告する。
【０１０６】
eNB1はUE1が送信した上述の情報を受信した後に、そのPDCPの送信パラメータ（構成3）をリセットし、また、該UE1の１番目の紛失したPDCP受信SN及びそれに対応するHFNをUE2のサービングeNB、即ちeNB2に転送する。eNB2はeNB1が送信したUE1の１番目の紛失したPDCP受信SN及びそれに対応するHFNを受信した後に、これに基づいて、そのPDCP受信パラメータをリセットし（構成3）、また、UE1の１番目の紛失したPDCP受信SN及びそれに対応するHFNをUE2に送信し、同時に、UE2に第二モード切替命令を送信し、これにより、UE2は、これに基づいて、モード切替後のリンク上で、対応するデータを再送することができ、例えば、該１番目の紛失したPDCP受信SNから、全ての既に送信したPDCPデータパケットを再送することができる。
【０１０７】
同様に、eNB2はUE2が送信した上述の情報を受信した後に、eNB1と同様な処理を行うことができ、例えば、そのPDCPの送信パラメータをリセットし（構成3）、また、該UE2の１番目の紛失したPDCP受信SN及びそれに対応するHFNをUE1のサービングeNB、即ちeNB1に転送する。eNB1はeNB2が送信したUE2の１番目の紛失したPDCP受信SN及びそれに対応するHFNを受信した後に、これに基づいて、そのPDCP受信パラメータをリセットし（構成3）、また、UE1にUE2のPDCP状態報告及び第二モード切替命令を送信し、これにより、UE1は、これに基づいて、モード切替後のリンク上で、対応するデータを再送することができ、例えば、該１番目の紛失したPDCP受信SNから、全ての既に送信したデータを再送することができる。
【０１０８】
本実施例の方法により、UEのD2D通信モードからセルラー通信モードへの切替を実現することができ、且つ、サービスニーズに基づいて全てのPDCPパラメータを交換することで、サービスの連続性を保証することができる。
【０１０９】
次の実施例7〜実施例9は図2に示すセルラー通信モードから図3に示すD2D通信モードへの切替シナリオに適用し、図4に示すD2D通信モードから図3に示すD2D通信モードへの切替シナリオにも適用する。そのうち、実施例7はPDCPパラメータ無し交換の場合であり、実施例8は完全PDCPパラメータ交換の場合であり、実施例9は部分PDCPパラメータ交換の場合である。
【実施例７】
【０１１０】
本発明の実施例では更に通信モード切替方法が提供され、前記方法はeNBに用いられる。該方法は図5に示す方法で実現され、図5に示すように、該方法は次のステップを含む。
【０１１１】
ステップ501：前記eNBが所定ポリシーに基づいてモード切替方式を確定し；
ステップ502：前記モード切替方式がPDCPパラメータ無し交換であれば、前記eNBがD2DリンクのUEに第一モード切替命令を送信し、また、全てのPDCP送信パラメータ及びPDCP受信パラメータを0にリセットする。
【０１１２】
実施例1及び実施例3と異なるのは、本実施例の方法ではセルラー通信モードからD2D通信モードへの切替を行い、この場合、eNBは図5の方法でUEに第一モード切替命令を送信した後に、該UEはその全てのPDCP送信パラメータ及びPDCP受信パラメーを0にリセットした後に、切替後のD2Dリンク上でデータを伝送することができる。
【０１１３】
図16は本実施例のeNBとUEとの間の情報交換を示す図である。図16に示すように、PDCPパラメータ無し交換のモード切替方式の採用を確定した時に、eNBはUE1及びUE2にそれぞれ第一モード切替命令を送信し、また、そのPDCP送信パラメータ及びPDCP受信パラメータを0にリセットする。UE1及びUE2もeNBが送信した第一モード切替命令を受信した後に、各自のPDCP送信パラメータ及びPDCP受信パラメーを0にリセットし、このようにして、該UE1及びUE2はセルラー通信モードからD2D通信モードへの切替を完成し、即ち、切替後のD2Dリンク上で互いにデータを伝送することができる。
【０１１４】
本実施例の方法により、セルラー通信モードからD2D通信モードへの切替を実現でき、且つ、サービスの連続性を保証することができる。
【実施例８】
【０１１５】
本発明の実施例では更に通信モード切替方法が提供され、前記方法はeNBに用いられる。図17は該方法のフローチャートであり、図17に示すように、該方法は次のステップを含む。
【０１１６】
ステップ1701：前記eNBが所定ポリシーに基づいてモード切替方式を確定し；
そのうち、該ステップ1701の処理方式は実施例1のステップ501の処理方式と同じであるため、その内容がここに合併され、詳しい説明が省略される。
【０１１７】
ステップ1702：前記モード切替方式が完全PDCPパラメータ交換であれば、前記eNBがD2DリンクのUEにモード切替準備命令を送信し、これにより、UEがそのセルラーリンクを保持し；
そのうち、eNBは完全PDCPパラメータ交換であると確定した時に、そのUEにモード切替準備命令を送信し、これにより、該UEは通信モード切替の準備を行うことができる。
【０１１８】
そのうち、UEはeNBが送信したモード切替命令を受信した後に、その元のセルラーリンクを保持し、これにより、セルラーリンク上でのデータを全て受信することができる。
【０１１９】
ステップ1703：前記eNBは、通信モード切替前のリンク上で、前記D2Dリンクに関連するコアネットワークデータパケットの伝送が全て完了するまでに前記UEにデータを伝送し；
そのうち、サービスの連続性を保証するために、eNBは通信モード切替前にD2Dリンクに関連するコアネットワークデータパケットの伝送を全て完成する必要がある。伝送過程及び方式は従来と同じであるため、詳しい説明が省略される。
【０１２０】
ステップ1704：前記eNBが前記UEに第二モード切替命令を送信し、これにより、前記UEがその相手UEに次の１つのPDCP受信SN及びそれに対応するHFNを送信し；
そのうち、前述のデータ伝送が全て完了した後に、該eNBはそのUEに第二モード切替命令を送信し、該UEにモード切替を行うように指示することができる。該第二モード切替命令を受信したUEは、次の１つのPDCP受信SN及びそれに対応するHFNを相手UEに送信し、これにより、該相手UEはこれに基づいてそのPDCP送信パラメータを構成することができる。そのうち、該UEはモード切替前のリンクにて上述の情報を送信しても良く、モード切替後のリンクにて上述の情報を送信しても良く、具体的にはリンクの接続状況による。
【０１２１】
ステップ1705：前記eNBが前記UEにPDCP状態報告を送信し、これにより、前記UEがこれに基づいてPDCPデータパケットを再送する。
【０１２２】
そのうち、サービスの連続性を保証するために、eNBはそのUEにPDCP状態報告を送信する必要があり、これにより、該UEはこれに基づいてモード切替後のリンク上で、まだ成功裏に受信されていないPDCPデータパケットを再送することができる。
【０１２３】
そのうち、実施例2、3と同様に、本実施例では、eNBがそのUEに第二モード切替命令を送信するステップと、eNBがそのUEにPDCP状態報告を送信するステップとの間の先後順序についても限定せず、この２つのステップは合併して処理しても良い。
【０１２４】
図18は該実施例のeNBとUEとの間の情報交換を示す図である。図18に示すように、完全PDCPパラメータ交換のモード切替方式の採用を確定した時に、eNBはUE1及びUE2にモード切替準備命令を送信する。UE1及びUE2は該モード切替準備命令を受信した後に、そのセルラーリンクを保持し、これにより、セルラーリンク上でのデータを受信することができる。この時に、eNBは継続してUE1及びUE2にデータを、D2Dリンクに関連するコアネットワークデータパケットの伝送が全て完了するまでに伝送し、その後、該eNBはUE1及びUE2に第二モード切替命令を送信する。サービスの連続性を保証するために、該eNBはそれぞれUE1及びUE2にPDCP状態報告を送信する必要がある。UE1及びUE2は上述の第二モード切替命令を受信した後に、相手に次の１つのPDCP受信SN及びそれに対応するHFNを送信し、これにより、相手はこれに基づいてそのPDCP送信パラメータを構成することができ、例えば、UE1はUE2が送信した次の１つのPDCP受信SN及びそれに対応するHFNを受信した後に、そのPDCP送信パラメータを、該次の１つのPDCP受信SN及びそれに対応するHFNとしてリセットし；同様に、UE2はUE1が送信した次の１つのPDCP受信SN及びそれに対応するHFNを受信した後に、そのPDCP送信パラメータを、該次の１つのPDCP受信SN及びそれに対応するHFNとしてリセットすることができる。また、UE1及びUE2は更にそのサービングeNBのPDCP状態報告に基づいて、まだ成功裏に受信されていないPDCPデータパケットを再送し、このようにして、サービスの連続性を保証することができる。
【０１２５】
本実施例の方法により、UEのセルラー通信モードからD2D通信モードへの切替、又は、D2DモードからD2Dモードへの切替を実現でき、且つ、サービスニーズに基づいて全てのPDCPパラメータを交換することで、サービスの連続性を保証することができる。
【実施例９】
【０１２６】
本発明の実施例では更に通信モード切替方法が提供され、該方法はeNBに用いられ、実施例8と異なるのは、本実施例では一部のPDCPパラメータのみ交換し、そのうち、実施例8と同じ内容の記載は省略される。図19は該方法のフローチャートであり、図19に示すように、該方法は次のステップを含む。
【０１２７】
ステップ1901：前記eNBが所定ポリシーに基づいてモード切替方式を確定し；
ステップ1902：前記モード切替方式が部分PDCPパラメータ交換であれば、前記eNBがD2DリンクのUEにモード切替準備命令を送信し、これにより、UEがそのセルラーリンクを保持し；
そのうち、eNBは部分PDCPパラメータ交換であると確定した時に、そのUEにモード切替準備命令を送信し、これにより、該UEは通信モード切替の準備を行うことができる。そのうち、UEはeNBが送信したモード切替命令を受信した後に、その元のセルラーリンクを保持し、これにより、セルラーリンク上でのデータを全て受信することができる。
【０１２８】
ステップ1903：前記eNBが通信モード切替前のリンク上で前記D2Dリンクに関連するコアネットワークデータパケットの伝送が全て完了するまでに前記UEにデータを伝送し；
ステップ1904：前記eNBが前記UEに第二モード切替命令を送信し、これにより、前記UEがその相手UEに次の１つのPDCP受信SN及びそれに対応するHFNを送信し；
そのうち、前述のデータ伝送が全て完了した後に、該eNBはそのUEに第二モード切替命令を送信し、該UEにモード切替を行うように指示することができる。該第二モード切替命令を受信したUEはその次の１つのPDCP受信SN及びそれに対応するHFNを相手UEに送信し、これにより、該相手UEはこれに基づいてそのPDCP送信パラメータを構成することができる。そのうち、該UEは通過モード切替前のリンクにて上述の情報を送信しても良く、モード切替後のリンクにて上述の情報を送信しても良く、具体的にはリンクの接続状況による。
【０１２９】
ステップ1905：前記eNBが前記UEに１番目の紛失したPDCP受信SN及びそれに対応するHFNを送信し、これにより、前記UEがこれに基づいてPDCPデータパケットを再送する。
【０１３０】
そのうち、サービスの連続性を保証するために、eNBはそのUEに１番目の紛失したPDCP受信SN及びそれに対応するHFNを送信する必要があり、これにより、該UEはこれに基づいてモード切替後のリンク上で、該１番目の紛失したPDCP受信SNから、全ての既に送信したPDCPデータパケットを再送することができる。
【０１３１】
そのうち、実施例2、3と同様に、本実施例では、eNBがそのUEに第二モード切替命令を送信するステップと、eNBがそのUEに１番目の紛失したPDCP受信SN及びそれに対応するHFNを送信するステップとの間の先後順序についても限定せず、この２つのステップは合併して処理しても良い。
【０１３２】
図20は本実施例のeNBとUEとの間の情報交換を示す図である。図20に示すように、eNBは１番目の紛失したPDCP受信SN及びそれに対応するHFNをUE1及びUE2に送信し、これにより、UE1及びUE2は１番目の紛失したPDCP受信SNから、モード切替後のリンク上で全ての既に送信したPDCPデータパケットを再送することができる。他のステップは図18と同じであるため、その内容がここに合併され、詳しい説明が省略される。
【０１３３】
本実施例の方法により、UEのD2D通信モードからセルラー通信モードへの切替を実現することができ、且つサービスニーズに基づいて全てのPDCPパラメータを交換することで、サービスの連続性を保証することができる。
【０１３４】
次の実施例10〜実施例12は図1に示すセルラー通信モードから図3に示すD2D通信モードへの切替シナリオに適用する。そのうち、実施例10はPDCPパラメータ無し交換の場合であり、実施例11は完全PDCPパラメータ交換の場合であり、実施例12は部分PDCPパラメータ交換の場合である。
【実施例１０】
【０１３５】
本発明の実施例では更に通信モード切替方法が提供され、前記方法はeNBに用いられる。該方法は図5に示す方法で実現され、図5に示す余に、該方法は次のステップを含む。
【０１３６】
ステップ501：前記eNBが所定ポリシーに基づいてモード切替方式を確定し；
ステップ502：前記モード切替方式がPDCPパラメータ無し交換であれば、前記eNBがD2DリンクのUEに第一モード切替命令を送信し、また、全てのPDCP送信パラメータ及びPDCP受信パラメータを0にリセットする。
【０１３７】
実施例7と異なるのは、セルラー通信モードでは、２つのeNBがそれぞれ２つのUEをサービングするため、各eNBはそのUEに上述の第一モード切替命令を送信することができる。各eNBは図5の方法で各自のUEに第一モード切替命令を送信した後に、各UEはその全てのPDCP送信パラメータ及びPDCP受信パラメーを0にリセットした後に、セルラー通信モードからD2D通信モードへの切替を完成し、そして、切替後のD2Dリンク上でデータを伝送することができる。
【０１３８】
図21は本実施例のeNBとUEとの間の情報交換を示す図である。図21に示すように、PDCPパラメータ無し交換のモード切替方式の採用を確定した時に、eNB1はUE1に第一モード切替命令を送信し、eNB2はUE2に第一モード切替命令を送信し、同時に、eNB1及びeNB2は各自のPDCP送信パラメータ及びPDCP受信パラメータを0にリセットする。UE1及びUE2は各自のサービングeNBから送信の第一モード切替命令を受信した後に、各自のPDCP送信パラメータ及びPDCP受信パラメーを0にリセットし、このようにして、該UE1及びUE2はセルラー通信モードからD2D通信モードへの切替を完成し、即ち、切替後のD2Dリンク上で互いデータを伝送することができる。
【０１３９】
本実施例の方法により、UEのセルラー通信モードからD2D通信モードへの切替を実現でき、且つ、サービスニーズに基づいてPDCPパラメータを交換しないことで、サービスの連続性を保証することができる。
【実施例１１】
【０１４０】
本発明の実施例では更に通信モード切替方法が提供され、該方法はeNBに用いられ、実施例8と異なるのは、本実施例のeNBではそのUEにモード切替準備命令を送信した後に、成功裏に受信したPDCPデータパケットを相手UEのサービングeNBに転送し、また、継続して前記UEにデータを、D2Dリンクに関連するコアネットワークデータパケット及び他のeNBにより転送されたデータパケットの伝送が全て完了するまでに伝送する。その他は、内容が実施例8の内容と同じであるため、詳しい説明が省略される。
【０１４１】
図22は本実施例のeNBとUEとの間の情報交換を示す図である。図22に示すように、完全PDCPパラメータ交換のモード切替方式の採用を確定した時に、図18と同様に、各eNBはそのUEにモード切替準備命令、セルラーリンク上でのデータパケット、第二モード切替命令、及びPDCP状態報告を送信する。また、各eNBは更に成功裏に受信したPDCPデータパケットを相手UEのサービングeNBに転送し、データの重複伝送を避ける。各UEはそのサービングeNBが送信した第二モード切替命令を受信した後に、その次の１つのPDCP受信SN及びそれに対応するHFNを相手UEに送信し、そのうち、元のセルラーリンクにて送信しても良く、切替後のD2Dリンクにて送信しても良い。各UEは、受信した次の１つのPDCP受信SN及びそれに対応するHFNに基づいてそのPDCP送信パラメータをリセットし、また、各自のサービングeNBが送信したPDCP状態報告に基づいて、まだ成功裏に受信されていないPDCPデータパケットを再送することができる。このようにして、通信モード切替後でもサービスの連続性を保証することができる。
【０１４２】
本実施例の方法により、UEのセルラー通信モードからD2D通信モードへの切替を実現でき、且つ、サービスニーズに基づいて全てのPDCPパラメータを交換することで、サービスの連続性を保証することができる。
【実施例１２】
【０１４３】
本発明の実施例では更に通信モード切替方法が提供され、該方法はeNBに用いられ、実施例9と異なるのは、本実施例では、各UEが異なるeNBによりサービングされる。本実施例の方法を実施する時に、各eNBの処理過程は実施例9のeNBの処理過程と同じであり、各UEの処理過程も実施例9のUEの処理過程と同じである。
【０１４４】
図23は本実施例のeNBとUEとの間の情報交換を示す図である。図23に示すように、部分PDCPパラメータ交換のモード切替方式の採用を確定した時に、図20と同様に、各eNBはそのUEにモード切替準備命令、セルラーリンク上でのデータパケット、第二モード切替命令、及び１番目の紛失したPDCP受信SN及びそれに対応するHFNを送信する。各UEはそのサービングeNBが送信した第二モード切替命令を受信した後に、その次の１つのPDCP受信SN及びそれに対応するHFNを相手UEに送信し、そのうち、元のセルラーリンクにて送信しても良く、切替後のD2Dリンクにて送信しても良い。各UEは、受信した次の１つのPDCP受信SN及びそれに対応するHFNに基づいてそのPDCP送信パラメータをリセットし、また、各自のサービングeNBが送信した１番目の紛失したPDCP受信SN及びそれに対応するHFNに基づいて、モード切替後のリンク上で、１番目の紛失したPDCP受信SNから、全ての既に送信したPDCPデータパケットを再送することができる。このようにして、通信モード切替後でもサービスの連続性を保証することができる。
【０１４５】
本実施例の方法により、UEのセルラー通信モードからD2D通信モードへの切替を実現でき、且つ、サービスニーズに基づいて全てのPDCPパラメータを交換することで、サービスの連続性を保証することができる。
【０１４６】
実施例1、4、7、10の方法に対応して、本発明の実施例は更にD2DリンクのUEに用いられる通信モード切替方法を次の実施例13に記載のように提供し、実施例1、4、7、10では、該方法について既に説明したため、以下の説明では、同じ内容が省略される。
【実施例１３】
【０１４７】
本発明の実施例では更に通信モード切替方法が提供され、前記方法はD2D通信中におけるUEに用いられ、また、該方法は実施例1、4、7、10の方法に対応するUE側の処理であり、実施例1、4、7、10では、該UE側の処理及びeNBとの情報交換について既に説明したため、ここでは内容が同じ記載を省略する。図24は該方法のフローチャートであり、図24に示すように、該方法は次のステップを含む。
【０１４８】
ステップ2401：前記UEがeNBにより送信された第一モード切替命令を受信した場合、前記UEが全てのPDCP送信パラメータ及びPDCP受信パラメータを0にリセットし、また、通信モード切替後のリンク上でデータを伝送する。
【０１４９】
本実施例の方法により、UEはeNBが送信した第一モード切替命令を受信した時に、そのPDCP送信パラメータ及びPDCP受信パラメーを0にリセットし、このようにして、通信モードの切替を完成することができ、PDCPパラメータを交換する必要がないシナリオに該方法を使用するため、サービスの連続性を保証することができる。
【０１５０】
実施例2、5の方法に対応して、本発明の実施例は更にD2DリンクのUEに用いられる通信モード切替方法を次の実施例14に記載のように提供し、実施例2、5では、該方法について既に説明したため、以下の説明では、同じ内容が省略される。
【実施例１４】
【０１５１】
本発明の実施例では更に通信モード切替方法が提供され、前記方法はD2D通信中におけるUEに用いられ、また、該方法は與実施例2、5の方法に対応するUE側の処理であり、実施例2、5では、該UE側の処理及びeNBとの情報交換について説明したため、ここでは内容が同じ記載を省略する。図25は該方法のフローチャートであり、図25に示すように、そのうち、該方法は次のステップを含む。
【０１５２】
ステップ2501：前記UEがeNBにより送信されたモード切替準備命令を受信した場合、前記UEが前記eNBにPDCP送信パラメータ、PDCP受信パラメータ、及びPDCP状態報告を報告する。
【０１５３】
そのうち、実施例2の方法に対応して、本実施例のUEは上述の情報を報告した後に、前記eNBは前記UEのPDCP送信パラメータを前記UEのD2D通信相手UEとの間の下りリンクの送信パラメータとし、前記UEのPDCP受信パラメータを前記UEのD2D通信相手UEとの間の上りリンクの受信パラメータとし、また、前記UEのPDCP状態報告を前記UEのD2D通信相手UEに送信する。
【０１５４】
そのうち、実施例5の方法に対応して、本実施例のUEは上述の情報を報告した後に、前記eNBは前記UEのPDCP送信パラメータ、PDCP受信パラメータ、及びPDCP状態報告を前記UEのD2D通信相手UEのサービングeNBに転送し、また、通信相手UEのPDCP送信パラメータ、PDCP受信パラメータに基づいて、前記UEとの間の下りリンクのPDCP送信パラメータ及び上りリンクのPDCP受信パラメータを構成し、また、前記相手UEのPDCP状態報告を前記UEに送信することができる。
【０１５５】
本実施例では、前記UEが前記D2D通信相手UEのPDCP状態報告を受信した場合、前記UEはeNBが送信した第二モード切替命令を受信した後に、前記D2D通信相手UEのPDCP状態報告に基づいて、通信モード切替後のリンク上で、まだ成功裏に受信されていないPDCPデータパケットを再送することができる。
【０１５６】
本実施例の方法により、UEのD2D通信モードからセルラー通信モードへの切替を実現でき、且つ、サービスニーズに基づいて全てのPDCPパラメータを交換することで、サービスの連続性を保証することができる。
【０１５７】
実施例3、6の方法に対応して、本発明の実施例は更にD2DリンクのUEに用いられる通信モード切替方法を次の実施例15に記載のように提供し、実施例3、6では、該方法について説明したため、以下の説明では、同じ内容が省略される。
【実施例１５】
【０１５８】
本発明の実施例では更に通信モード切替方法が提供され、前記方法はD2D通信中におけるUEに用いられ、また、該方法は実施例3、6の方法に対応するUE側の処理であり、実施例3、6では、該UE側の処理及びeNBとの情報交換について説明したため、ここでは内容が同じ記載を省略する。図26は該方法のフローチャートであり、図26に示すように、該方法は次のステップを含む。
【０１５９】
ステップ2601：前記UEがeNBにより送信されたモード切替準備命令を受信した場合、前記UEが前記eNBにその１番目の紛失したPDCP受信SN及びそれに対応するHFNを報告する。
【０１６０】
そのうち、実施例3の方法に対応して、本実施例のUEは、上述の情報を報告した後に、前記eNBは、前記UEの１番目の紛失したPDCP受信SN及びそれに対応するHFNに基づいて、そのPDCP送信パラメータ及びPDCP受信パラメータをリセットし、また、前記UEの１番目の紛失したPDCP受信SN及びそれに対応するHFN送信を前記UEのD2D通信相手UEに送信し、これにより、前記相手UEは対応するデータを再送することができる。  
そのうち、実施例6の方法に対応して、本実施例のUEは上述の情報を報告した後に、前記eNBは前記UEの１番目の紛失したPDCP受信SN及びそれに対応するHFNを通信相手UEのサービングeNBに転送し、また、受信した通信相手UEの１番目の紛失したPDCP受信SN及びそれに対応するHFNに基づいてそのPDCP送信及び受信パラメータをリセットし、また、通信相手UEの１番目の紛失したPDCP受信SN及びそれに対応するHFNを前記UEに送信し、これにより、前記UEは対応するデータを再送することができる。
【０１６１】
本実施例では、前記UEが前記D2D通信相手UEの１番目の紛失したPDCP受信SN及びそれに対応するHFNを受信した場合、前記UEはeNBが送信した第二モード切替命令を受信した後に、前記相手UEの１番目の紛失したPDCP受信SNから、通信モード切替後のリンク上で再送、既に送信したPDCPデータパケットを再送することができる。
【０１６２】
本実施例の方法により、UEのD2D通信モードからセルラー通信モードへの切替を実現することができ、且つ、サービスニーズに基づいて、一部のPDCPパラメータのみを交換することで、サービスの連続性を保証することができる。
【０１６３】
実施例8-9、11-12の方法に対応して、本発明の実施例は更にD2DリンクのUEに用いられる通信モード切替方法を次の実施例16に記載のように提供し、実施例8-9、11-12では、該方法について既に説明したため、以下の説明では同じ内容が省略される。
【実施例１６】
【０１６４】
本発明の実施例では更に通信モード切替方法が提供され、前記方法はD2D通信中におけるUEに用いられ、また、該方法は実施例8-9、11-12の方法に対応するUE側の処理であり、実施例8-9、11-12では、該UE側の処理及びeNBとの情報交換につて説明したため、ここでは内容が同じ記載を省略する。図27は該方法のフローチャートであり、図27に示すように、該方法は次のステップを含む。
【０１６５】
ステップ2701：前記UEがeNBにより送信されたモード切替準備命令を受信した場合、前記UEが上述のeNBにより伝送されたデータを受信するために、セルラーリンクを保持し；
ステップ2702：前記UEが第二モード切替命令を受信した場合、前記UEがその相手UEに次の１つのPDCP受信SN及びそれに対応するHFNを送信する。
【０１６６】
本実施例では、前記UEが前記相手UEから送信の次の１つのPDCP受信SN及びそれに対応するHFNを受信した場合、前記UEは、PDCP送信パラメータを、受信した前記次の１つのPDCP受信SN及びそれに対応するHFNとして構成することができる。
【０１６７】
本実施例では、前記UEがサービングeNBからのPDCP状態報告を受信した場合、前記UEはサービングeNBからのPDCP状態報告に基づいて、通信モード切替後のリンク上で、まだ成功裏に受信されていないPDCPデータパケットを再送することができる。
【０１６８】
本実施例では、前記UEがサービングeNBからの１番目の紛失したPDCP受信SN及びそれに対応するHFNを受信した場合、前記UEは前記１番目の紛失したPDCP受信SNから、通信モード切替後のリンク上で、全ての既に送信したPDCPデータパケットを再送することができる。
【０１６９】
本実施例の方法により、UEのセルラー通信モードからD2D通信モードへの切替を実現でき、且つ、サービスニーズに基づいて一部のPDCPパラメータのみを交換することで、サービスの連続性を保証することができる。
【０１７０】
実施例1、4、7、10の方法に対応して、本発明の実施例では更に次の実施例17に記載のようにeNBが提供され、該eNBが問題を解決する原理は実施例1、4、7、10の方法と同様であり、よって、その具体的な実施は実施例1、4、7、10の方法の実施を参照することができ、ここでは重複記載を省略する。
【実施例１７】
【０１７１】
本発明の実施例ではeNBが提供される。図28は該eNBの構成を示す図である。図28に示すように、該eNBは次のものを含む。
【０１７２】
確定ユニット281：所定ポリシーに基づいてモード切替方式を確定し；
処理ユニット282：前記確定ユニット281によりモード切替方式がPDCPパラメータ無し交換であると確定された時に、D2DリンクのUEに第一モード切替命令を送信し、また、全てのPDCP送信パラメータ及びPDCP受信パラメータを0にリセットする。
【０１７３】
本発明の実施例のeNBにより、サービス連続性を保証し得る前提で通信モードの切替を実現することができる。
【０１７４】
実施例2の方法に対応して、本発明の実施例では更に次の実施例18に記載のようにeNBが提供され、該eNBが問題を解決する原理は実施例2の方法と同様であり、よって、その具体的な実施は実施例2の方法の実施を参照することができるので、ここでは重複記載を省略する。
【実施例１８】
【０１７５】
本発明の実施例では更にeNBが提供され。図29は該eNBの構成を示す図である。図29に示すように、該eNBは次のものを含む。
【０１７６】
確定ユニット291：所定ポリシーに基づいてモード切替方式を確定し；
第一送信ユニット292：前記確定ユニット291によりモード切替方式が完全PDCPパラメータ交換であると確定した時に、D2DリンクのUEにモード切替準備命令を送信し；
処理ユニット293：前記eNBが前記UEにより報告されたPDCP送信パラメータ、PDCP受信パラメータ、及びPDCP状態報告を受信した時に、前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信し；
第二送信ユニット294：前記UEに第二モード切替命令を送信する。
【０１７７】
本発明の実施例のeNBにより、サービス連続性を保証し得る前提で通信モードの切替を実現することができる。
【０１７８】
実施例3の方法に対応して、本発明の実施例では更に次の実施例19に記載のようにeNBが提供され、該eNBが問題を解決する原理は実施例3の方法と同様であり、よって、その具体的な実施は実施例3の方法の実施を参照することができるので、ここでは重複説明を省略する。
【実施例１９】
【０１７９】
本発明の実施例では更にeNBが提供される。図30は該eNBの構成を示す図である。図30に示すように、該eNBは次のものを含む。
【０１８０】
確定ユニット301：所定ポリシーに基づいてモード切替方式を確定し；
第一送信ユニット302：前記確定ユニット301によりモード切替方式が部分PDCPパラメータ交換であると確定した時に、D2DリンクのUEにモード切替準備命令を送信し；
処理ユニット303：前記eNBが前記UEにより報告された１番目の紛失したPDCP受信SN及びそれに対応するHFNを受信した時に、前記１番目の紛失したPDCP受信SN及びそれに対応するHFNに基づいて前記UEのD2D通信相手UEとの間のリンクのPDCP送信パラメータ及びPDCP受信パラメータをリセットし、また、前記１番目の紛失したPDCP受信SN及びそれに対応するHFNを前記UEのD2D通信相手UEに送信し；
第二送信ユニット304：前記UEに第二モード切替命令を送信する。
【０１８１】
本発明の実施例のeNBにより、サービス連続性を保証し得る前提で通信モードの切替を実現することができる。
【０１８２】
実施例5の方法に対応して、本発明の実施例では更に次の実施例20に記載のようにeNBが提供され、該eNBが問題を解決する原理は実施例5の方法と同様であり、よって、その具体的な実施は実施例5の方法の実施を参照することができるので、ここでは重複記載を省略する。
【実施例２０】
【０１８３】
本発明の実施例では更にeNBが提供される。図31は該eNBの構成を示す図である。図31に示すように、該eNBは次のものを含む。
【０１８４】
確定ユニット311：所定ポリシーに基づいてモード切替方式を確定し；
第一送信ユニット312：前記確定ユニット311によりモード切替方式が完全PDCPパラメータ交換であると確定した時に、D2DリンクのUEにモード切替準備命令を送信し；
第一処理ユニット313：前記eNBが前記UEにより報告されたPDCP送信パラメータ、PDCP受信パラメータ、及びPDCP状態報告を受信した時に、前記PDCP送信パラメータ、PDCP受信パラメータ、及びPDCP状態報告前記をUEのD2D通信相手UEのサービングeNBに転送する。
【０１８５】
１つの実施例では、前記eNBは更に次のものを含む。
【０１８６】
第二処理ユニット314：前記eNBが前記相手UEのサービングeNBから送信の前記相手UEのPDCP送信パラメータ、PDCP受信パラメータ、及びPDCP状態報告を受信した時に、前記相手UEのPDCP送信パラメータを、前記UEとの間の下りリンクの送信パラメータとし、前記相手UEのPDCP受信パラメータを、前記UEとの間の上りリンクの受信パラメータとし、また、前記相手UEのPDCP状態報告を前記UEに送信し；
第二送信ユニット315：前記UEに第二モード切替命令を送信する。
【０１８７】
本発明の実施例のeNBにより、サービス連続性を保証しうる前提で通信モードの切替を実現することができる。
【０１８８】
実施例6の方法に対応して、本発明の実施例では更に次の実施例21に記載のようにeNBが提供され、該eNBが問題を解決する原理は実施例6の方法と同様であり、よって、その具体的な実施は実施例6の方法の実施を参照することができ、ここでは重複記載を省略する。
【実施例２１】
【０１８９】
本発明の実施例では更にeNBが提供される。図32は該eNBの構成を示す図である。図32に示すように、該eNBは次のものを含む。
【０１９０】
確定ユニット321：所定ポリシーに基づいてモード切替方式を確定し；
第一送信ユニット322：前記確定ユニット321によりモード切替方式が部分PDCPパラメータ交換であると確定した時に、D2DリンクのUEにモード切替準備命令を送信し；
第一処理ユニット323：前記eNBが前記UEにより報告された１番目の紛失したPDCP受信SN及びそれに対応するHFNを受信した時に、前記UEの１番目の紛失したPDCP受信SN及びそれに対応するHFNを前記UEのD2D通信相手UEのサービングeNBに転送する。
【０１９１】
１つの実施例では、前記eNBは更に次のものを含む。
【０１９２】
第二処理ユニット324：前記eNBが前記相手UEのサービングeNBから送信の前記相手UEの１番目の紛失したPDCP受信SN及びそれに対応するHFNを受信した時に、前記相手UEの１番目の紛失したPDCP受信SN及びそれに対応するHFNに基づいて、前記UEとの間のリンクのPDCP送信パラメータ及びPDCP受信パラメータをリセットし、また、前記相手UEの１番目の紛失したPDCP受信SN及びそれに対応するHFNを前記UEに送信し；
第二送信ユニット325：前記UEに第二モード切替命令を送信する。
【０１９３】
本発明の実施例のeNBにより、サービス連続性を保証し得る前提で通信モードの切替を実現することができる。
【０１９４】
実施例8-9、11-12の方法に対応して、本発明の実施例では更に次の実施例22に記載のようにeNBが提供され、該eNBが問題を解決する原理は実施例8-9、11-12の方法と同様であり、よって、その具体的な実施は実施例8-9、11-12の方法の実施を参照することができるので、ここでは重複記載を省略する。
【実施例２２】
【０１９５】
本発明の実施例では更にeNBが提供される。図33は該eNBの構成を示す図である。図33に示すように、該eNBは次のものを含む。
【０１９６】
確定ユニット331：所定ポリシーに基づいてモード切替方式を確定し；
第一送信ユニット332：前記確定ユニット331によりモード切替方式が完全PDCPパラメータ交換又は部分PDCPパラメータ交換であると確定される時に、D2DリンクのUEにモード切替準備命令を送信し、これにより、UEがそのセルラーリンクを保持し；
第一データ伝送ユニット333：通信モード切替前のリンク上で、前記D2Dリンクに関連するコアネットワークデータパケットの伝送が全て完了するまでに前記UEにデータを伝送し、又は、前記D2Dリンクに関連するコアネットワークデータパケット及び他のeNBにより転送されたデータパケットの伝送が全て完了するまでに前記UEにデータを伝送し；
第二送信ユニット334：前記UEに第二モード切替命令を送信し、これにより、前記UEがその相手UEに次の１つのPDCP受信SN及びそれに対応するHFNを送信し；
第三送信ユニット335：前記UEにPDCP状態報告又は１番目の紛失したPDCP受信SN及びそれに対応するHFNを送信し、これにより、前記UEがこれに基づいてPDCPデータパケットを再送する。
【０１９７】
１つの実施例では、前記eNBは更に次のものを含む。
【０１９８】
第二データ伝送ユニット336：前記モード切替方式が完全PDCPパラメータ交換である時に、成功裏に受信したPDCPデータパケットを前記UEのD2D通信相手UEのサービングeNBに転送する。
【０１９９】
本発明の実施例のeNBにより、サービス連続性を保証し得る前提で通信モードの切替を実現することができる。
【０２００】
実施例13の方法に対応して、本発明の実施例では更に次の実施例23に記載のようにUEが提供され、該UEが問題を解決する原理は実施例13の方法と同様であり、よって、その具体的な実施は実施例13の方法の実施を参照することができるので、ここでは内容が同じ説明を省略する。
【実施例２３】
【０２０１】
本発明の実施例では更にUEが提供される。図34は該UEの構成を示す図である。図34に示すように、該UEは次のものを含む。
【０２０２】
処理ユニット341：前記UEがeNBにより送信された第一モード切替命令を受信した時に、全てのPDCP送信パラメータ及びPDCP受信パラメータを0にリセットし、また、通信モード切替後のリンク上でデータを伝送する。
【０２０３】
本発明の実施例のUEにより、サービス連続性を保証し得る前提で通信モードの切替を実現することができる。
【０２０４】
実施例14の方法に対応して、本発明の実施例では更に次の実施例24に記載のようにUEが提供され、該UEが問題を解決する原理は実施例14の方法と同様であり、よって、その具体的な実施は実施例14の方法の実施を参照でき、ここでは内容が同じ説明を省略する。
【実施例２４】
【０２０５】
本発明の実施例では更にUEが提供される。図35は該UEの構成を示す図である。図35に示すように、該UEは次のものを含む。
【０２０６】
第一送信ユニット351：前記UEがeNBにより送信されたモード切替準備命令を受信した時に、前記eNBにPDCP送信パラメータ、PDCP受信パラメータ、及びPDCP状態報告を報告する。
【０２０７】
そのうち、該UEが通信相手UEと同一eNBに属する場合、前記eNBは前記PDCP送信パラメータを、前記UEのD2D通信相手UEとの間の下りリンクの送信パラメータとし、前記PDCP受信パラメータを、前記UEのD2D通信相手UEとの間の上りリンクの受信パラメータとし、また、前記PDCP状態報告を前記UEのD2D通信相手UEに送信する。
【０２０８】
そのうち、該UEが通信相手UEと同一eNBに属しない場合、前記eNBは前記PDCP送信パラメータ、PDCP受信パラメータ、及びPDCP状態報告を前記UEのD2D通信相手UEのサービングeNBに転送する。相手UEのサービングeNBから送信の相手UEのPDCP送信パラメータ、PDCP受信パラメータ、及びPDCP状態報告を受信した時、前記相手UEのPDCP送信パラメータを、前記UEとの間の下りリンクのPDCP送信パラメータとし、前記相手UEのPDCP受信パラメータを、前記UEとの間の上りリンクのPDCP受信パラメータとし、また、前記相手UEのPDCP状態報告を前記UEに送信する。
【０２０９】
１つの実施例では、前記UEは更に次のものを含む。
【０２１０】
第二送信ユニット352：前記UEが前記D2D通信相手UEのPDCP状態報告を受信した時に、前記D2D通信相手UEのPDCP状態報告に基づいて、通信モード切替後のリンク上で、まだ成功裏に受信されていないPDCPデータパケットを再送する。
【０２１１】
本発明の実施例のUEにより、サービス連続性を保証し得る前提で通信モードの切替を実現することができる。
【０２１２】
実施例15の方法に対応して、本発明の実施例では次の実施例25に記載のようにUEが提供され、該UEが問題を解決する原理は実施例15の方法と同様であり、よって、その具体の実施例は実施例15の方法の実施を参照することができるので、ここでは内容が同じ説明を省略する。
【実施例２５】
【０２１３】
本発明の実施例では更にUEが提供される。図36は該UEの構成を示す図である。図36に示すように、該UEは次のものを含む。
【０２１４】
第一送信ユニット361：前記UEがeNBにより送信されたモード切替準備命令を受信した時に、前記eNBに１番目の紛失したPDCP受信SN及びそれに対応するHFNを報告する。
【０２１５】
そのうち、前記UEが相手UEと同一eNBに属する場合、前記eNBは前記UEの１番目の紛失したPDCP受信SN及びそれに対応するHFNに基づいて前記UEの通信相手UEとの間のリンクのPDCP送信パラメータ及びPDCP受信パラメータをリセットし、また、前記１番目の紛失したPDCP受信SN及びそれに対応するHFNを前記UEの通信相手UEに送信する。
【０２１６】
そのうち、前記UEが相手UEと同一eNBに属しない場合、前記eNBは前記UEの１番目の紛失したPDCP受信SN及びそれに対応するHFNを前記UEの通信相手UEのサービングeNBに転送する。相手UEのeNBから送信の該相手UEの１番目の紛失したPDCP受信SN及びそれに対応するHFNを受信した後に、該eNBはこれに基づいて前記UEとの間のリンクのPDCP送信及び受信パラメータをリセットし、また、通信相手UEの１番目の紛失したPDCP受信SN及びそれに対応するHFNを前記UEに送信する。
【０２１７】
１つの実施例では、前記UEは更に次のものを含む。
【０２１８】
第二送信ユニット362：前記UEが前記D2D通信相手UEの１番目の紛失したPDCP受信SN及びそれに対応するHFNを受信した時に、前記相手UEの１番目の紛失したPDCP受信SNから、通信モード切替後のリンク上で、全ての既に送信したPDCPデータパケットを再送する。
【０２１９】
本発明の実施例のUEにより、サービス連続性を保証し得る前提で通信モードの切替を実現することができる。
【０２２０】
実施例16の方法に対応して、本発明の実施例では更に次の実施例26に記載のようにUEが提供され、該UEが問題を解決する原理は実施例16の方法と同様であり、よって、その具体的な実施は実施例16の方法の実施を参照することができるので、ここでは内容が同じ説明を省略する。
【実施例２６】
【０２２１】
本発明の実施例では更にUEが提供される。図37は該UEの構成を示す図である。図37に示すように、該UEは次のものを含む。
【０２２２】
受信ユニット371：前記UEがeNBにより送信されたモード切替準備命令を受信した時に、上述のeNBにより伝送されたデータを受信するためにセルラーリンクを保持し；
第一送信ユニット372：前記UEが第二モード切替命令を受信した時に、前記UEのD2D通信相手UEに次の１つのPDCP受信SN及びそれに対応するHFNを送信する。
【０２２３】
１つの実施例では、前記UEは更に次のものを含む。
【０２２４】
処理ユニット373：前記UEが前記相手UEから送信の次の１つのPDCP受信SN及びそれに対応するHFNを受信した時に、PDCP送信パラメータを、受信した前記次の１つのPDCP受信SN及びそれに対応するHFNとして構成する。
【０２２５】
１つの実施例では、前記UEは更に次のものを含む。
【０２２６】
第二送信ユニット374：前記UEがサービングeNBからのPDCP状態報告を受信した時に、サービングeNBからのPDCP状態報告に基づいて、通信モード切替後のリンク上で、まだ成功裏に受信されていないPDCPデータパケットを再送する。
【０２２７】
１つの実施例では、前記UEは更に次のものを含む。
【０２２８】
第三送信ユニット375：前記UEがサービングeNBからの１番目の紛失したPDCP受信SN及びそれに対応するHFNを受信した時に、前記１番目の紛失したPDCP受信SNから、通信モード切替後のリンク上で、全ての既に送信したPDCPデータパケットを再送する。
【０２２９】
本発明の実施例のUEにより、サービス連続性を保証し得る前提で通信モードの切替を実現することができる。
【０２３０】
本発明の実施例では更に通信システムが提供され、そのうち、前記通信システムは、実施例17に記載のeNB及び少なくとも２つの実施例23に記載のUEを含み；又は、前記通信システム包は、実施例18に記載のeNB及び少なくとも２つの実施例24に記載のUEを含み；又は、前記通信システムは、実施例19に記載のeNB及び少なくとも２つの実施例25に記載のUEを含み；又は、前記通信システムは、実施例20に記載のeNB及び少なくとも２つの実施例24に記載のUEを含み；又は、前記通信システムは、実施例21に記載のeNB及び少なくとも２つの実施例25に記載のUEを含み；又は、前記通信システムは、実施例22に記載のeNB及び少なくとも２つの実施例26に記載のUEを含む。
【０２３１】
本発明の実施例では更にコンピュータ可読プログラムが提供され、そのうち、基地局中で該プログラムを実行する時に、該プログラムは、コンピュータに、前記基地局中で実施例1-12に記載の通信モード切替方法を実行させる。
【０２３２】
本発明の実施例では更にコンピュータ可読プログラムを記録した記録媒体が提供され、そのうち、該コンピュータ可読プログラムは、コンピュータに、基地局中で実施例1-12に記載の通信モード切替方法を実行させる。
【０２３３】
本発明の実施例では更にコンピュータ可読プログラムが提供され、そのうち、端末装置中で該プログラムを実行する時に、該プログラムは、コンピュータに、前記端末装置中で実施例13-16に記載の通信モード切替方法を実行させる。
【０２３４】
本発明の実施例では更にコンピュータ可読プログラムを記録した記録媒体が提供され、そのうち、該コンピュータ可読プログラムは、コンピュータに、端末装置中で実施例13-16に記載の通信モード切替方法を実行させる。
【０２３５】
本発明の以上の装置及び方法は、ハードウェアで実現されても良く、ハードウェアとソフトウェアとの組み合わせで実現されても良い。また、本発明は、このようなコンピュータ可読プログラムに関し、即ち、該プログラムがロジック部品により実行される時に、該ロジック部品に、上述の装置又は構成要素を実現させることができ、又は、該ロジック部品に、上述の各種方法又はステップを実現させることができる。
【０２３６】
また、本発明は、上記プログラムを記憶した記録媒体にも関し、該記録媒体は、例えば、ハードディスク、磁気ディスク、光ディスク、DVD、flashメモリなどであっても良い。
【０２３７】
以上、本発明の好ましい実施形態を説明したが、本発明はこのような実施形態に限定されず、本発明の趣旨を離脱しない限り、本発明に対するあらゆる変更は本発明の技術の範囲に属する。
【図１】
2016516380.tif 000003
【図２】
2016516380.tif 000004
【図３】
2016516380.tif 000005
【図４】
2016516380.tif 000006
【図５】
2016516380.tif 000007
【図６】
2016516380.tif 000008
【図７】
2016516380.tif 000009
【図８】
2016516380.tif 000010
【図９】
2016516380.tif 000011
【図１０】
2016516380.tif 000012
【図１１】
2016516380.tif 000013
【図１２】
2016516380.tif 000014
【図１３】
2016516380.tif 000015
【図１４】
2016516380.tif 000016
【図１５】
2016516380.tif 000017
【図１６】
2016516380.tif 000018
【図１７】
2016516380.tif 000019
【図１８】
2016516380.tif 000020
【図１９】
2016516380.tif 000021
【図２０】
2016516380.tif 000022
【図２１】
2016516380.tif 000023
【図２２】
2016516380.tif 000024
【図２３】
2016516380.tif 000025
【図２４】
2016516380.tif 000026
【図２５】
2016516380.tif 000027
【図２６】
2016516380.tif 000028
【図２７】
2016516380.tif 000029
【図２８】
2016516380.tif 000030
【図２９】
2016516380.tif 000031
【図３０】
2016516380.tif 000032
【図３１】
2016516380.tif 000033
【図３２】
2016516380.tif 000034
【図３３】
2016516380.tif 000035
【図３４】
2016516380.tif 000036
【図３５】
2016516380.tif 000037
【図３６】
2016516380.tif 000038
【図３７】
2016516380.tif 000039
【国際調査報告】
2016516380.tif 000040
2016516380.tif 000041
2016516380.tif 000042
2016516380.tif 000043